(57)【要約】  モバイル装置上に広告を行うためのシステムについて説明を行う。このシステムは、プロセッサ、メモリ、及びインタフェースを含むことができる。このメモリは、プロセッサ及びインタフェースに作動可能に接続することができ、モバイル通信事業者データ、要求、及び広告データを記憶することができる。このインタフェースは、メモリ及びプロセッサに作動可能に接続することができ、モバイル装置と通信を行うことができる。このプロセッサは、インタフェース及びメモリに作動可能に接続することができ、インタフェースを介してモバイル装置から要求を受信することができる。このプロセッサは、モバイル装置が属するモバイル通信事業者に関するモバイル通信事業者データを特定することができる。プロセッサは、要求とモバイル通信事業者データとを対象とする広告データを識別することができ、この広告データをモバイル装置へ通信することができる。【選択図】なし
2009529728.tif 000002
【特許請求の範囲】
【請求項１】
モバイル装置上に広告を行うための方法であって、
モバイル装置からの要求を識別するステップと、
前記モバイル装置が属するモバイル通信事業者を特定するステップと、
前記要求及び前記モバイル通信事業者を対象とした広告を識別するステップと、
前記広告を前記モバイル装置に提供するステップと、
を含むことを特徴とする方法。
【請求項２】
前記要求はキーワードを検索するための要求である、
ことを特徴とする請求項１に記載の方法。
【請求項３】
前記広告は前記キーワードを対象とする、
ことを特徴とする請求項２に記載の方法。
【請求項４】
前記要求及び前記モバイル通信事業者を対象とする広告を識別するステップは、
前記モバイル通信事業者がサポートする表示技術を識別するステップと、
前記広告を、前記モバイル通信事業者の前記表示技術に適合させるステップと、
をさらに含む、
ことを特徴とする請求項１に記載の方法。
【請求項５】
前記広告は動的に適合される、
ことを特徴とする請求項４に記載の方法。
【請求項６】
前記表示技術は、ＷＭＬ、ＸＨＴＭＬ、ｉＭｏｄｅ  ＨＴＭＬ、又はｃＨＴＭＬのうちの少なくとも１つを含む、
ことを特徴とする請求項４に記載の方法。
【請求項７】
前記モバイル装置はモバイル電話を含む、
ことを特徴とする請求項１に記載の方法。
【請求項８】
広告をモバイル通信事業者に対象設定するための方法であって、
キーワードを識別するステップと、
モバイル通信事業者を識別するステップと、
広告を識別するステップと、
前記広告を、前記モバイル通信事業者及び前記キーワードに対象設定するステップと、
ユーザが前記モバイル装置を用いて前記キーワードを検索する時に、前記モバイル通信事業者に属するモバイル装置に前記広告を提供するステップと、
を含むことを特徴とする方法。
【請求項９】
前記広告を、前記モバイル通信事業者及び前記キーワードに対象設定するステップは、
前記モバイル通信事業者の表示技術を識別するステップと、
前記モバイル通信事業者の前記表示技術に前記広告を適合させるステップと、
をさらに含む、
ことを特徴とする請求項８に記載の方法。
【請求項１０】
前記広告は、前記ユーザが前記キーワードを含むリンクをクリックする時に前記モバイル装置に提供される、
ことを特徴とする請求項８に記載の方法。
【請求項１１】
前記広告は、前記キーワードに対応する検索結果の組と共に前記モバイル装置に提供される、
ことを特徴とする請求項８に記載の方法。
【請求項１２】
前記モバイル装置はモバイル電話を含む、
ことを特徴とする請求項８に記載の方法。
【請求項１３】
前記広告を前記モバイル通信事業者及び前記キーワードに対象設定するステップは、前記広告に関連して入札額を前記キーワード及びモバイル通信事業者に関連付けるステップをさらに含む、
ことを特徴とする請求項８に記載の方法。
【請求項１４】
前記入札額は、前記広告が前記モバイル装置上に表示された時に、前記広告の所有者が支払う金額を含む、
ことを特徴とする請求項８に記載の方法。
【請求項１５】
モバイル装置上に広告を行うためのシステムであって、
要求と、モバイル通信事業者データと、広告データとを記憶するメモリと、
モバイル装置と通信を行うために、前記メモリに作動可能に接続されたインタフェースと、
前記メモリ及び前記インタフェースに作動可能に接続された、命令を実行するためのプロセッサと、
を備え、
前記プロセッサは、前記インタフェースを介して前記モバイル装置から要求を受信し、該モバイル装置が属するモバイル通信事業者に関する前記モバイル通信事業者データを特定し、前記要求及び前記モバイル通信事業者データを対象とする前記広告データを識別し、前記インタフェースを介して前記広告データを前記モバイル装置へ通信する、
ことを特徴とするシステム。
【請求項１６】
前記要求はキーワードを検索するための要求である、
ことを特徴とする請求項１５に記載の方法。
【請求項１７】
前記プロセッサは、前記キーワード及び前記モバイル通信事業者データを対象とする前記広告データを識別する、
ことを特徴とする請求項１６に記載の方法。
【請求項１８】
前記プロセッサは、前記要求された検索を行い、前記インタフェースを介して検索結果の組と前記広告データとを前記モバイル装置へ通信する、
ことを特徴とする請求項１６に記載の方法。
【請求項１９】
前記モバイル装置はモバイル電話を含む、
ことを特徴とする請求項１５に記載の方法。
【請求項２０】
前記インタフェースは、前記モバイル通信事業者を介して前記モバイル装置へ通信を行う、
ことを特徴とする請求項１５に記載の方法。
【発明の詳細な説明】
【技術分野】
【０００１】
（関連出願との相互参照）
本出願は、２００６年３月６日に出願された米国仮出願第６０／７７９，８４０号の利益を主張するものであり、該出願は引用により本明細書に組み入れられる。
本明細書は一般に、モバイル装置上に広告を行うための、一般的にシステムと呼ばれるシステム及び方法に関し、より具体的には、排他的な意味ではないが、特定の通信事業者のモバイル装置を対象とした広告を行うことに関する。
【背景技術】
【０００２】
モバイル電話は、情報及びコンテンツにアクセスするための装置としてますます重要なものになっていると考えられる。現在、世界的に、８億台のパーソナルコンピュータに対して２０億台を超えるモバイル電話が存在すると考えられる。モバイル電話会社は、音声ＡＲＰＵの継続的な落ち込みを打開するための方法として、高価値のデータサービスにますます目を向けていると考えられる。世界的に何十億ドルもが無線通信ライセンスに費やされており、無線サービス及びコンテンツプロバイダによるインフラストラクチャ及びサービスの整備のためのパイプラインへの投資にさらに何十億ドルもが費やされていると考えられる。通信事業者は、投資上の利益を増やし、消費者へのサービス提供を拡大し、差別化するだけでなく、新しい収益の流れを生みだし、消極的なＡＲＰＵの傾向を逆転させ、顧客を保持し、引きつけるための手段として、新しいデータ、コンテンツ、及びマルチメディアサービスを導入していると考えられる。これらの無線技術の出現により、無線通信事業者、広告主、及びパブリッシャが、新規の及び既存の顧客を通じて付加的な収益の流れを発生させるためのユニークな機会が生み出されていると考えられる。消費者の無線技術の乗り換えが増え続けているため、モバイル装置を介したマーケティングは、すべての統合的データ通信戦略の重要な部分になると考えられる。
【０００３】
モバイルマーケティングは、増分収益を促進し、消費者の忠誠心を高め、モバイル電話の消費者に利便性を与えることにより、消費者、モバイル電話サービス会社、パブリッシャ、及び広告主に利益をもたらすことができる。モバイルデータの受け入れは、世界中の多くの地域に達しているとみられ、さらに増えることが予想できる。ＹＡＨＯＯ！などのモバイル電話向けポータルは、モバイル電話による検索によって利益を生むことができる。
【０００４】
今までのモバイルマーケティングの世界的なビジネスモデルは、加入契約料による収益及び消費財（すなわち呼び出し音、壁紙等）の購入に依存していると考えられる。ゆっくりと行き渡り、比較的わずかずつ増加する収益の流れは、現在及び将来の投資における投資上の利益を危うくする可能性がある。現在、無線広告は、特にオンラインウェブ広告の経験を考えると、収益成長率を加速させるという点で大きな希望としてみなすことができる。検索は、モバイル情報を発見し、それにアクセスするための重要な機能及び潜在的な汎用インタフェースの両方として浮上してきていると考えられる。
【０００５】
【特許文献１】米国仮出願第６０／７７９，８４０号
【発明の開示】
【発明が解決しようとする課題】
【０００６】
しかしながら、モバイル検索及びウェブ検索に関する使用形態は異なる場合があり、同様にユーザ及び広告主の期待も異なる場合がある。ユーザ体感が全く異なることを考え合わせると、これらの違いがクリック及び誘導機会の価値を変化させる可能性がある。最新のモバイル装置は、ウェブの豊富な機能セットをサポートしない限定されたブラウザ性能しか有していない場合がある。数字パッドキーによる入力の制約が用語検索を窮屈なものにしているモバイル電話では、電話機の性能がモバイル電話ユーザの検索行為に影響を与える可能性がある。モバイル装置の小型の画面サイズは、検索の実行に関するパフォーマンスに影響を与える可能性がある。モバイル電話機の画面サイズにより、リスト毎に表示できる広告制作物と、画面毎のリスト数とが限定される場合がある。現在のウェブ検索マーケティングシステムは、モバイル電話機とコンピュータとの間のこれらの物理的な相違点を考慮に入れていないと考えられる。
【０００７】
モバイル電話の市場は、電話機及びネットワークの技術という点に関して非常に断片化されており、このことが、リスト表示及び広告主が提供するサイトに影響を及ぼすと考えられる。モバイル装置の場合、すべての通信事業者が従うＨＴＭＬのような規格は存在しないと思われ、存在する「規格」は、事業者に特定のものである傾向があり、他の「規格」とは互換性がない場合がある。このことは、市場の中に市場を導く可能性があり、例えば日本では、広告主は、ＩＭＯＤＥユーザ、ＸＨＴＭＬユーザ、及びＷＭＬユーザに対して別個のサイト及びキャンペーンを創造する可能性がある。この断片化はまた、異なる技術をサポートし、各それぞれの通信事業者とやりとりを行うために投資が必要となるという理由から、広告主が参入するための障害にもなり得る。広告主は、巨額の初期投資、又は特定の事業者からの先行取引のいずれかに直面することが考えられる。
【課題を解決するための手段】
【０００８】
モバイル装置上に広告を行うためのシステムを開示する。このシステムは、プロセッサ、メモリ、及びインタフェースを含むことができる。メモリは、プロセッサ及びインタフェースに作動的に接続され、モバイル通信事業者のデータ、広告データ、及び要求を記憶することができる。インタフェースは、メモリ及びプロセッサに作動的に接続され、モバイル装置から要求を受信し、モバイル装置へ広告を通信することができる。プロセッサは、インタフェースを介してモバイル装置から要求を受信し、要求を行っているモバイル装置が属するモバイル通信事業者を判別することができる。プロセッサは、モバイル通信事業者及び要求の両方に関連する広告を特定し、インタフェースを介して要求を行っているモバイル装置へ広告を通信することができる。
【０００９】
以下の図及び詳細な説明を考察する時に、当業者には、他のシステム、方法、特徴、及び利点が明らかになるであろう。このような追加システム、方法、特徴、及び利点のすべてがこの説明の中に含まれ、これらの実施形態の範囲内に存在し、以下の特許請求の範囲により保護され、さらに以下の特許請求の範囲により定義されることが意図されている。説明とともに、更なる態様及び利点について以下に解説する。
【００１０】
以下の図面及び説明を参照することにより、システム及び／又は方法をより良く理解することができる。以下の図面を参照しながら非限定的かつ非包括的な説明を行う。図中の構成要素は必ずしも縮尺通りではなく、むしろ原理を示すことに重点が置かれている。図において、別途指定しない限り、異なる図を通して同じ参照番号は同様の部分を意味するものとすることができる。
【発明を実施するための最良の形態】
【００１１】
一般にシステムと呼ばれるシステム及び方法は、モバイル装置上に広告を行うことに関し、より具体的には、排他的な意味ではないが、個々のモバイルネットワーク事業者のモバイル装置を対象とした広告を行うことに関する。本明細書で説明する原理は、多くの異なる形態で実現することができる。
【００１２】
図１は、モバイル装置上に広告を行うためのシステム１００の一般的な概要を示す図である。しかしながら、図示した構成要素のすべてを必要としなくてもよく、また実施構成によっては、追加の構成要素を含むことができるものもある。本願で説明する特許請求の思想及び範囲から逸脱することなく、構成及び構成要素の種類の変更を行うことができる。追加の、異なる、又はより少ない構成要素を設けることもできる。
【００１３】
システム１００は、モバイル広告主などの１又はそれ以上の収益創出者１１０Ａ〜Ｎ、ポータルなどのサービスプロバイダ１３０、より一般的にはモバイル通信事業者又は単に通信事業者と呼ばれる１又はそれ以上のモバイルネットワーク事業者（「ＭＮＯ」）１１５Ａ〜Ｎ、及びモバイル電話契約加入者又は消費者などの１又はそれ以上のユーザ１２０ＡＡ〜ＮＮを含むことができる。収益創出者１１０Ａ〜Ｎは、モバイル電話ネットワーク又はインターネットなどのネットワーク上にオンライン広告などの広告を表示するために、サービスプロバイダ１３０に代金を支払うことができる。この支払いは、ユーザ１２０ＡＡ〜ＮＮに対して広告を表示できる回数、及び／又はユーザ１２０ＡＡ〜ＮＮのうちの１人が広告をクリックスルーして収益創出者のウェブサイト又はモバイルサイトに到達した回数などの様々な要因に基づくことができる。
【００１４】
サービスプロバイダ１３０は、検索サイトなどのモバイルサイト又はモバイルポータルを維持することができ、サービスプロバイダ１３０は、ここで収益創出者１１０Ａ〜Ｎの広告をユーザ１２０ＡＡ〜ＮＮに対して表示することができる。サービスプロバイダ１３０は、収益創出者１１０Ａ〜Ｎの広告をＭＮＯ１１５Ａ〜Ｎのモバイルネットワーク上に表示する代わりに、ＭＮＯ１１５Ａ〜Ｎと収益を分け合うことができる。或いは、又はこれに加えて、サービスプロバイダ１３０は、収益創出者１１０Ａ〜Ｎの広告をモバイルパブリッシャのモバイルサイト上に表示する代わりに、個々のモバイルパブリッシャと収益を分け合うことができる。
【００１５】
ユーザ１２０ＡＡ〜ＮＮは、商品又はサービスの消費者であると共に、収益創出者１１０Ａ〜Ｎのうちの１つが所有するビジネスのようなビジネスを検索している可能性がある。ユーザ１２０ＡＡ〜ＮＮは、モバイルネットワーク事業者１１５Ａ〜Ｎを通じてサービスプロバイダ１３０と通信することができる。ユーザ１２０ＡＡ〜ＮＮは、自分の所在位置、性別、又は年齢などの、自分自身について説明する情報、或いは一般的に、サービスプロバイダ１３０によって提供されるサービスをユーザ１２０ＡＡ〜ＮＮが利用するために、ユーザ１２０ＡＡ〜ＮＮに対して要求される可能性がある任意の情報をサービスプロバイダ１３０に提供することができる。或いは、又はこれに加えて、サービスプロバイダ１３０は、ＭＮＯ１１５Ａ〜Ｎからユーザ１２０ＡＡ〜ＮＮについての情報を取得することができる。
【００１６】
システム１００では、収益創出者１１０Ａ〜Ｎは、ウェブアプリケーションなどを介してサービスプロバイダ１３０とやりとりを行うことができる。収益創出者１１０Ａ〜Ｎは、請求情報、ウェブサイト情報又はモバイルサイト情報、及び広告情報などの情報を、ウェブアプリケーションを介してサービスプロバイダ１３０へ送信することができる。このウェブアプリケーションは、ウェブブラウザ、又はウェブコンテンツを表示することができる任意のアプリケーションなどのその他のアプリケーションを含むことができる。アプリケーションは、パーソナルコンピュータ、携帯情報端末、モバイル電話、又はウェブアプリケーションを実行することができる任意のその他のマシンのようなプロセッサにより実行することができる。
【００１７】
ユーザ１２０ＡＡ〜ＮＮもまた、モバイル電話、又はモバイルネットワーク事業者１１５Ａ〜Ｎと通信できる任意の装置などを介して、モバイルネットワーク事業者１１５Ａ〜Ｎを通じてサービスプロバイダ１３０と個々にやりとりを行うことができる。ユーザ１２０ＡＡ〜ＮＮは、モバイルウェブベースのアプリケーション、モバイルスタンドアローンアプリケーション、又はモバイル装置上で作動することができる任意のアプリケーションを介して、サービスプロバイダ１３０とやりとりを行うことができる。サービスプロバイダ１３０は、ネットワークを介して収益創出者１１０Ａ〜Ｎへデータを通信することができ、また、ネットワークを介し、ＭＮＯ１１５Ａ〜Ｎを経由してユーザ１２０ＡＡ〜ＮＮへデータを通信することができる。以下の例では、収益創出者Ａ（１１０Ａ）をオンライン広告主又はモバイル広告主と呼ぶことがあるが、システム１００は、モバイル装置上に広告を行うことを望む可能性がある任意の収益創出者１１０Ａ〜Ｎに適用することができる。
【００１８】
稼働中、収益創出者Ａ（１１０Ａ）などの、収益創出者１１０Ａ〜Ｎのうちの１つは、サービスプロバイダ１３０に情報を提供することができる。この情報は、収益創出者Ａ（１１０Ａ）とサービスプロバイダ１３０との間で発生する取引に関連する場合があり、或いは収益創出者Ａ（１１０Ａ）が保持するサービスプロバイダ１３０との口座に関連する場合がある。モバイル広告主である収益創出者Ａ（１１０Ａ）の場合、この収益創出者Ａ（１１０Ａ）は、サービスプロバイダ１３０との口座を開くのに必要な初期情報を提供することができる。
【００１９】
モバイル広告主である収益創出者Ａ（１１０Ａ）は、サービスプロバイダ１３０との１又はそれ以上の口座を保持することができる。収益創出者Ａ（１１０Ａ）は、各口座につき１又はそれ以上の広告活動を保持することができる。収益創出者Ａ（１１０Ａ）は、各広告活動につき１又はそれ以上のリストを保持することができる。リストは、検索キーワード及び１又はそれ以上の通信事業者リストを含むことができる。各通信事業者リストは、モバイル通信事業者を特定することができると共に、広告タイトル、広告記述、入札額、及び必要な場合にはモバイルサイトのＵＲＬを含むことができる。通信事業者リストは、検索キーワードと、モバイル広告と、そのモバイル広告が対象とするユーザを有する通信事業者との間の関係を表すことができる。
【００２０】
この通信事業者リストにより、サービスプロバイダ１３０は、モバイルキーワードからウェブキーワードを原則的に分離して、ウェブ広告市場とは別個のモバイル広告市場を提供できるようになる。この通信事業者リストにより、サービスプロバイダ１３０はまた、ＭＮＯ１１５Ａ〜Ｎの各々に関連付けられたキーワードを原則的に分離し、ＭＮＯ１１５Ａ〜Ｎの各々に対して別個の市場を提供できるようにもなる。例えば、収益創出者Ａ（１１０Ａ）は、ＭＮＯ  Ａ（１１５Ａ）に対して「ｄｖｄ」というキーワードに１つの入札を行い、ＭＮＯ  Ｂ（１１５Ｂ）に対して「ｄｖｄ」というキーワードに別の入札を行うことができる。さらに、ＭＮＯ１１５Ａ〜Ｎの各々に対して別個の市場を作り出すことにより、収益創出者Ａ（１１０Ａ）は、各ＭＮＯの基本となる技術と互換性を有する別個の広告を作り出すことができる。
【００２１】
サービスプロバイダ１３０は、通信事業者リストがどの通信事業者に適用され得るかを示すデータフィールドを利用して、キーワードの分離を実行することができる。例えば、収益創出者Ａ（１１０Ａ）は、同じキーワードに関していくつかのリストを有することができるが、各リストがどの通信事業者に適用されるかを示すデータフィールドによりこれらのリストを差別化することができる。或いは、又はこれに加えて、データベース構造が別のフィールドの追加をサポートしていない場合、若しくはサービスプロバイダ１３０が、既存のウェブ検索マーケティングシステムの機能の利用を望む場合、キーワードにプレフィックスを加えることにより、各通信事業者に対するキーワードを分類することができる。この場合、一意のプレフィックス識別子によって通信事業者の各々を識別することができる。このプレフィックス識別子は、通信事業者の地理上の位置と通信事業者の記述子との組み合わせを含むことができる。例えば、通信事業者ＳＰＲＩＮＴは、「ｕｓｍｏｂｓｐｒｉｎｔｓｂ」というプレフィックスを有することができる。
【００２２】
文字列「ｖｘｖ」などのキーワードセパレータによって、プレフィックスをキーワードから分離させることができる。キーワードセパレータの目的は、文字列内の、プレフィックスが終り、キーワードが始まる位置を識別することであると考えられる。「ｖｘｖ」というキーワードセパレータは、この順序の文字が英語の中で極めて希にしか、或いは全く出現しない可能性が高いという理由で、この件について特に実用的なものとなり得る。従って、「ｖｘｖ」文字列の存在により、プレフィックスの終点及びキーワードの起点を示すことができることになる。例えば、収益創出者Ａ（１１０Ａ）が、通信事業者ＳＰＲＩＮＴに属するユーザに対してキーワード「ｄｖｄ」に入札する場合には、このキーワードを、「ｕｓｍｏｂｓｐｒｉｎｔｓｂｖｘｖｄｖｄ」という形で既存の検索マーケティングデータベースに記憶することができる。その後、サービスプロバイダ１３０は、キーワード「ｕｓｍｏｂｓｐｒｉｎｔｓｂｖｘｖｄｖｄ」を検索することにより、キーワード「ｄｖｄ」に関してＳＰＲＩＮＴに関連付けられた広告を検索することができる。
【００２３】
収益創出者Ａ（１１０Ａ）がＭＮＯ  Ａ（１１５Ａ）用のモバイルサイトのＵＲＬを有していない場合でも、この収益創出者Ａ（１１０Ａ）は、ＭＮＯ  Ａ（１１５Ａ）用のキーワードに入札することができる。この場合、サービスプロバイダ１３０は、「ＷＡＰ広告」を動的に作成することができる。「ＷＡＰ広告」は、広告主の電話番号及び／又は広告主のロゴを含むオファーランディングページであってもよい。ユーザＡＡ（１２０ＡＡ）が、モバイルサイトを有さない収益創出者Ａ（１１０Ａ）の広告をクリックした場合、ユーザＡＡ（１２０ＡＡ）を、収益創出者Ａ（１１０Ａ）の電話番号及び／又はロゴを示すページへと導くことができる。この後ユーザＡＡ（１２０ＡＡ）は、自らのモバイル装置を用いて収益創出者Ａ（１１０Ａ）の電話番号に電話をかけ、取引を完了させることができる。「ＷＡＰ広告」に関連付けられたデータは、広告タイトル及び／又は広告記述フィールド内に記憶することができる。
【００２４】
キーワードは、収益創出者Ａ（１１０Ａ）が自らの広告に関連付けたいと望む１又はそれ以上の検索用語を表すことができる。ユーザＡＡ（１２０ＡＡ）が、ＭＮＯ  Ａ（１１５Ａ）を経由して検索キーワードを検索する時に、検索結果のページ上に収益創出者Ａ（１１０Ａ）のモバイル広告を表示することができる。サービスプロバイダ１３０はまた、ディレクトリ検索の実施を行うこともでき、この場合ユーザＡＡ（１２０ＡＡ）は、関連データの系列ディレクトリをクリックスルーすることができる。この例では、ユーザＡＡ（１２０ＡＡ）がクリックするディレクトリ名を検索キーワードとすることができる。或いは、又はこれに加えて、ユーザＡＡ（１２０ＡＡ）は、ＳＭＳ検索サービスを通じてサービスプロバイダ１３０とやりとりを行うことができる。
【００２５】
例えば、ＧＥＮＥＲＡＬ  ＭＯＴＯＲＳ社のような収益創出者Ａ（１１０Ａ）は、キーワード「ＪＥＥＰ」を検索する、ＭＮＯ  Ａ（１１５Ａ）に属するユーザ１２０ＡＡ〜ＮＡを、ＧＥＮＥＲＡＬ  ＭＯＴＯＲＳ社のＪＥＥＰについてのモバイル広告の対象にしようと望む可能性がある。ＧＥＮＥＲＡＬ  ＭＯＴＯＲＳ社は、キーワード「ＪＥＥＰ」に関してサービスプロバイダ１３０と共に、ＭＮＯ  Ａ（１１５Ａ）に対して入札を行うことができる。ＭＮＯ  Ａ（１１５Ａ）に属するユーザ１２０ＡＡ〜ＮＡのうちの１人が「ＪＥＥＰ」を検索する時に、又は「ＪＥＥＰ」というディレクトリをクリックスルーする時に、キーワード収益創出者Ａ（１１０Ａ）のモバイル広告を表示することができる。ＧＥＮＥＲＡＬ  ＭＯＴＯＲＳ社は、ＭＮＯ１１５Ａ〜Ｎのうちの任意のＭＮＯに対して、同じインタフェースを用いて「ＪＥＥＰ」に関する入札を提示することができる。
【００２６】
広告タイトルは、ユーザＡＡ（１２０ＡＡ）がリストに関連付けられたキーワードを検索する時に、収益創出者Ａ（１１０Ａ）がユーザＡＡ（１２０ＡＡ）に対して表示したいと望むデータを表すものであってもよい。或いは、又はこれに加えて、広告記述は、ユーザＡＡ（１２０ＡＡ）がリストに関連付けられたキーワードを検索する時に、収益創出者Ａ（１１０Ａ）がユーザＡＡ（１２０ＡＡ）に対して表示したいと望むデータを表すものであってもよい。モバイルサイトのＵＲＬは、収益創出者Ａ（１１０Ａ）のモバイル広告がクリックされた時に、収益創出者Ａ（１１０Ａ）がユーザＡＡ（１２０ＡＡ）を誘導したいと望む、収益創出者Ａ（１１０Ａ）のホームページなどのリンクを表すものであってもよい。入札額は、ユーザＡＡ（１２０ＡＡ）が収益創出者Ａ（１１０Ａ）のモバイル広告をクリックするであろうたびに、或いはユーザＡＡ（１２０ＡＡ）に対して収益創出者Ａ（１１０Ａ）のモバイル広告が示されるであろうたびに、収益創出者Ａ（１１０Ａ）が支払う用意をすることができる最大金額を表すものであってもよい。
【００２７】
複数の収益創出者１１０Ａ〜Ｎが、ＭＮＯ  Ａ（１１５Ａ）などの同じＭＮＯに対して同じ検索キーワードに入札を行うことができるいくつかの事例が存在する場合がある。サービスプロバイダ１３０は、ユーザ１２０ＡＡ〜ＮＡがクリックする可能性の最も高いと思われるオンライン広告を、ユーザ１２０ＡＡ〜ＮＡに提供することができる。例えば、サービスプロバイダ１３０は、複数のモバイル広告の検索キーワードとの関連性を判別する関連性評価を含むことができる。モバイル広告のキーワードとの関連性が高ければ高いほど、ユーザＡＡ（１２０ＡＡ）がその広告をクリックする可能性は高くなると考えられる。関連性を判別するための例示的な方法について以下さらに詳細に説明する。オンラインウェブ検索のマーケティングにおいて関連性を評価するための方法を、モバイル検索のマーケティングに適用することもできる。
【００２８】
ユーザＡＡ（１２０ＡＡ）などの、ユーザ１２０ＡＡ〜ＮＮのうちの１人がキーワードの検索などによりサービスプロバイダ１３０とやりとりを行う際に、サービスプロバイダ１３０は、ユーザＡＡ（１２０ＡＡ）とのやりとりについて記述したデータを保有することができる。保持されるデータは、検索されたキーワード、ユーザＡＡ（１２０ＡＡ）の地理上の位置、及びユーザＡＡ（１２０ＡＡ）がサービスプロバイダ１３０とやりとりした日／時を含むことができる。これらのデータはまた、ユーザＡＡ（１２０ＡＡ）とのやりとりについて記述する際に、或いはユーザＡＡ（１２０ＡＡ）について記述する際に役立つ可能性のある、サービスプロバイダ１３０が入手できる任意のデータを一般に含むこともできる。またサービスプロバイダ１３０は、収益創出者Ａ（１１０Ａ）などの収益創出者１１０Ａ〜Ｎのうちの１つのモバイル広告がユーザＡＡ（１２０ＡＡ）に対して表示されたかどうか、及びユーザＡＡ（１２０ＡＡ）がそのモバイル広告をクリックしたかどうかを示すデータを記憶することもできる。
【００２９】
サービスプロバイダ１３０は、ユーザＡＡ（１２０ＡＡ）の地理上の位置に関する情報、及び性別、年齢などのユーザＡＡ（１２０ＡＡ）について記述するその他の情報を既に所有している可能性がある。ユーザＡＡ（１２０ＡＡ）が、これらの情報を以前サービスプロバイダ１３０に提供している可能性がある。或いは、又はこれに加えて、サービスプロバイダ１３０は、ユーザＡＡ（１２０ＡＡ）のＩＰアドレスに基づいてユーザＡＡ（１２０ＡＡ）の所在位置を取得することができる。サービスプロバイダ１３０は、現在の日／時スタンプを用いて、ユーザＡＡ（１２０ＡＡ）がサービスプロバイダ１３０とやりとりを行った日／時を記憶することができる。サービスプロバイダ１３０は、ユーザについて記述する情報、又はユーザによって検索されたキーワード、広告の検索との関連性のうちの任意のものを利用することができる。
【００３０】
さらに、サービスプロバイダ１３０は、ユーザとのやりとりから収集したデータに基づいて報告を作成し、この報告を収益創出者１１０Ａ〜Ｎへ通信して、収益創出者１１０Ａ〜Ｎが自身のモバイル広告の効果を測る際に役立つことができる。この報告は、収益創出者１１０Ａ〜Ｎにより入札が行われたキーワードをユーザ１２０ＡＡ〜ＮＮが検索した回数、収益創出者１１０Ａ〜Ｎのモバイル広告がユーザ１２０ＡＡ〜ＮＮに対して表示された回数、及びユーザ１２０ＡＡ〜ＮＮが収益創出者１１０Ａ〜Ｎの広告をクリックスルーした回数を示すことができる。収益創出者Ａ（１１０Ａ）が通信事業者リストを維持する対象となる個々のＭＮＯ１１５Ａ〜Ｎに関して別個の報告が存在してもよい。収益創出者Ａ（１１０Ａ）が通信事業者リストを維持する対象となるＭＮＯ１１５Ａ〜Ｎのすべてにわたる集計データを表示する報告が存在してもよい。これらの報告はまた、収益創出者１１０Ａ〜Ｎが、自らのモバイル広告活動の効果を計測する際に、収益創出者１１０Ａ〜Ｎの役に立つ可能性のある任意のデータを一般に示すこともできる。
【００３１】
図２は、モバイル装置上に広告を行うためのシステム２００を実現するネットワーク環境の略図を示している。しかしながら、図示の構成要素のすべてを必要としなくてもよく、実施例によっては、図示していない追加の構成要素を含むことができるものもある。本願に記載の特許請求の思想又は範囲から逸脱することなく、構成及び構成要素の種類に変更を行うことができる。追加の、異なる、又はより少ない構成要素を設けることができる。
【００３２】
システム２００は、１又はそれ以上のウェブアプリケーション、スタンドアローンアプリケーション、及びモバイルアプリケーション２１０Ａ〜Ｎを含むことができ、これらをまとめて又は個別に収益創出者１１０Ａ〜Ｎのクライアントアプリケーションと呼ぶことができる。システム２００はまた、１又はそれ以上のモバイルアプリケーションすなわちモバイルアプリ２２０ＡＡ〜ＮＮを含むこともでき、これらをまとめてユーザ１２０ＡＡ〜ＮＮのクライアントアプリケーションと呼ぶか、或いは個別にユーザクライアントアプリケーションと呼ぶことができる。システム２００はまた、１又はそれ以上のＭＮＯゲートウェイサーバ２１５Ａ〜Ｎ、ネットワーク２３０、ネットワーク２３５、サービスプロバイダサーバ２４０、サードパーティサーバ２５０、及び広告サービスサーバ２６０を含むこともできる。
【００３３】
広告サービスサーバ２６０、サービスプロバイダサーバ２４０、及びサードパーティサーバ２５０のいくつか又はすべては、ネットワーク２３５を介して相互に通信を行うことができ、またこれらのサーバは、図７において下記に説明するシステム又は構成要素であってもよい。広告サービスサーバ２６０、サードパーティサーバ２５０、及びサービスプロバイダサーバ２４０は、各々が複数のリンクされたコンピュータ装置を表すことができる。サードパーティサーバ２５０などの複数の異なるサードパーティサーバを、システム２００に含めることができる。サードパーティサーバ２５０は、ＭＮＯゲートウェイサーバ２１５Ａ〜Ｎであるか、或いはＭＮＯゲートウェイサーバ２１５Ａ〜Ｎに関係付けられた、又はこれらサーバと通信状態にあるサーバであってもよい。
【００３４】
ネットワーク２３０、２３５は、インターネットなどの広域ネットワーク（ＷＡＮ）、ローカルエリアネットワーク（ＬＡＮ）、キャンパスエリアネットワーク、メトロポリタンエリアネットワーク、又はデータ通信を可能にすることができる任意のその他のネットワークを含むことができる。ネットワーク２３０は、インターネットを含むと共に、ネットワーク２３５のすべて又は一部を含むことができ、ネットワーク２３５は、ネットワーク２３０のすべて又は一部を含むことができる。ネットワーク２３０、２３５は、サブネットワークに分割することができる。サブネットワークは、システム２００内のネットワーク２３０、２３５に接続されたその他の構成要素すべてへのアクセスを可能にするか、或いはこのサブネットワークは、ネットワーク２３０、２３５に接続された構成要素間のアクセスを制限することができる。ネットワーク２３５は、公衆又は私設ネットワーク接続であると考えることができ、例えば、仮想私設ネットワーク、公衆インターネットにわたって用いられる暗号化又はその他のセキュリティ機構などを含むことができる。
【００３５】
収益創出者１１０Ａ〜Ｎは、ウェブアプリケーション２１０Ａ、スタンドアローンアプリケーション２１０Ｂ、又はモバイルアプリケーション２１０Ｎ、或いはこれらの任意の組み合わせを用いて、ネットワーク２３０、２３５などを介してサービスプロバイダサーバ２４０へ通信を行うことができる。サービスプロバイダサーバ２４０は、ウェブアプリケーション、スタンドアローンアプリケーション、又はモバイルアプリケーション２１０Ａ〜Ｎを通じてネットワーク２３０、２３５を介して収益創出者１１０Ａ〜Ｎへ通信を行うことができる。
【００３６】
ユーザ１２０ＡＡ〜ＮＮは、モバイルウェブブラウザなどのモバイルアプリケーション２２０ＡＡ〜２２０ＮＮを用いて、ＭＮＯゲートウェイサーバ２１５Ａ〜Ｎ及びネットワーク２３０、２３５を介してサービスプロバイダサーバ２４０へ通信を行うことができる。サービスプロバイダサーバ２４０は、ネットワーク２３０、２３５、及びＭＮＯ２１５Ａ〜Ｎを介して、モバイルアプリケーション２２０ＡＡ〜ＮＮを通じてユーザ１２０Ａ〜Ｎへ通信を行うことができる。
【００３７】
データ転送をサポートする任意の構成で、ウェブアプリケーション、スタンドアローンアプリケーション、及びモバイルアプリケーション２１０Ａ〜Ｎ、２２０ＡＡ−ＮＮをネットワーク２３０に接続することができる。この接続はネットワーク２３０へのデータ接続を含むことができ、この接続は有線又は無線であってもよい。ウェブアプリケーション、スタンドアローンアプリケーション、及びモバイルアプリケーション２１０Ａ〜Ｎ、２２０ＡＡ−ＮＮのうちの任意のアプリケーションを、個々にクライアントアプリケーションと呼ぶことができる。ウェブアプリケーション２１０Ａは、ウェブブラウザ又はコンピュータ、モバイル電話、携帯情報端末（ＰＤＡ）、ページャ、ネットワーク対応テレビ、ＴＩＶＯ（登録商標）などのデジタルビデオレコーダ、データ通信が可能な自動車及び／又は任意の電気機器などの、ウェブコンテンツをサポートする任意のプラットフォーム上で作動することができる。
【００３８】
スタンドアローンアプリケーション２１０Ｂは、プロセッサ、メモリ、ディスプレイ、ユーザインタフェース、及び通信インタフェースを有することができるマシン上で作動することができる。プロセッサは、メモリ、ディスプレイ、及びインタフェースに作動可能に接続されると共に、スタンドアローンアプリケーション２１０Ｂ又は基本となるオペレーティングシステムの要求時にタスクを実行することができる。メモリは、データを記憶することができる。ディスプレイは、メモリ及びプロセッサに作動可能に接続されると共に、収益創出者Ｂ（１１０Ｂ）に情報を表示することができる。ユーザインタフェースは、メモリ、プロセッサ、及びディスプレイに作動可能に接続されると共に、収益創出者Ａ（１１０Ａ）とやりとりを行うことができる。通信インタフェースは、メモリ及びプロセッサに作動可能に接続されると共に、ネットワーク２３０、２３５を通じて、サービスプロバイダサーバ２４０、サードパーティサーバ２５０、及び広告サービスサーバ２６０と通信することができる。スタンドアローンアプリケーション２１０Ｂは、通信プロトコルをサポートする任意のプログラミング言語でプログラムすることができる。これらの言語は、とりわけＳＵＮ  ＪＡＶＡ（登録商標）、Ｃ＋＋、Ｃ＃、ＡＳＰ、ＳＵＮ  ＪＡＶＡＳＣＲＩＰＴ（登録商標）、非同期ＳＵＮ  ＪＡＶＡＳＣＲＩＰＴ（登録商標）、又はＡＤＯＢＥ  ＦＬＡＳＨ  ＡＣＴＩＯＮＳＣＲＩＰＴを含むことができる。
【００３９】
モバイルアプリケーション２１０Ｎ、２２０ＡＡ〜ＮＮは、データ接続することができるいずれかのモバイル装置上で作動することができる。モバイルアプリケーション２１０Ｎ、２２０ＡＡ〜ＮＮは、ウェブアプリケーション２１０Ａ、スタンドアローンアプリケーション２１０Ｂ、モバイルブラウザであってもよい。モバイル装置は、モバイル電話、ＰＤＡ、又はラップトップ及びノートブックコンピュータを含むことができる幅広い電子装置のうちの１つであってもよい。モバイル装置は、より小型のキーボード及び／又は画面などの小型の機能セットを有することができ、従来のウェブ検索をサポートできなくてもよい。
【００４０】
モバイル装置のデータ接続は、ＧＳＭ／ＧＰＲＳ／ＷＣＤＭＡ接続などのセルラー接続、無線データ接続、インターネット接続、赤外線接続、Ｂｌｕｅｔｏｏｔｈ接続、又はデータを送信することができる任意のその他の接続であってもよい。このデータ接続を用いて、ネットワーク２３０に直接接続するか、或いはＭＮＯゲートウェイサーバ２１５Ａ〜Ｎを通じてネットワーク２３０に接続することができる。ＭＮＯゲートウェイサーバ２１５Ａ〜Ｎは、モバイルアプリケーション２２０ＡＡ〜ＮＮがネットワークに対して行うことができるアクセスを制御することができる。ＭＮＯゲートウェイサーバ２１５Ａ〜Ｎはまた、それぞれのモバイルアプリケーション２２０ＡＡ〜ＮＮをサポートする技術を制御することもできる。この制御は、信号強度及び可用性、速度及び請求メカニズムなどのユーザ体感のすべての態様に影響を与える可能性がある。例えば、ＭＮＯゲートウェイサーバＡ（２１５Ａ）は、ユーザ１２０ＡＡ〜ＮＡが、ＭＮＯ  Ａ（１１５Ａ）の提携者によって提供されるコンテンツにのみアクセスできるようにすることができる。さらにＭＮＯゲートウェイサーバ２１５Ａ〜Ｎは、ユーザ１２０ＡＡ〜ＮＮが、ＷＭＬ、ＸＨＴＭＬ、ＮＴＴ  ＤＯＣＯＭＯ  ＩＭＯＤＥ  ＨＴＭＬ、又はｃＨＴＭＬなどの特定のフォーマットのデータにのみアクセスできるようにすることができる。或いは、又はこれに加えて、モバイルアプリケーション２２０ＡＡ〜ＮＮは、前述のフォーマットのうちの１つのみをサポートすることができる。
【００４１】
サービスプロバイダサーバ２４０は、アプリケーションサーバ、データベースサーバなどのデータソース、ミドルウェアサーバ、及び広告サービスサーバのうちの１又はそれ以上を含むことができる。１つのミドルウェアサーバは、ＹＡＨＯＯ！ＳＵＳＨＩのプラットフォームなどのモバイルコマースのプラットフォームであってもよく、このプラットフォームは、モバイルページ又はモバイル広告などのデータをＭＮＯゲートウェイサーバ２１５Ａ〜Ｎ固有のフォーマットに正しく符号化することができる。サービスプロバイダサーバ２４０は、１つのマシン上に共存するか、或いは１又はそれ以上のマシン上で分散構成で作動することができる。サービスプロバイダサーバ２４０をまとめてサーバと呼ぶことができる。サービスプロバイダサーバ２４０は、ユーザ１２０ＡＡ〜ＮＮ及び収益創出者１１０Ａ〜Ｎから要求を受信すると共に、ユーザ１２０ＡＡ〜ＮＮにモバイルページを提供し、収益創出者１１０Ａ〜Ｎの要求に基づいて収益創出者１１０Ａ〜Ｎにウェブページ及び／又はモバイルページを提供することができる。
【００４２】
サードパーティサーバ２５０は、アプリケーションサーバ、データベースサーバなどのデータソース、ミドルウェアサーバ、及び広告サービスサーバのうちの１又はそれ以上を含むことができる。サードパーティサーバ２５０は、１つのマシン上に共存するか、或いは１又はそれ以上のマシン上で分散構成で作動することができる。広告サービスサーバ２６０は、ウェブページ又はモバイルページなどのページに広告を含めるためのプラットフォームを提供することができる。ユーザ１２０ＡＡ〜ＮＮに対して表示することができるモバイル広告を提供するために、この広告サービスサーバ２６０を使用することができる。
【００４３】
サービスプロバイダサーバ２４０、サードパーティサーバ２５０、及び広告サービスサーバ２６０は、図７のコンピュータ装置のような１又はそれ以上の様々な種類のコンピュータ装置とすることができる。このようなコンピュータ装置は、計算を実行するように構成され、１又はそれ以上の有線及び／又は無線通信インタフェースを介してデータ通信を送受信できる任意の装置を一般に含むことができる。このような装置は、以下に限定されるわけではないが、送信制御プロトコル／インターネットプロトコル（ＴＣＰ／ＩＰ）プロトコルスイート内のプロトコルを含む様々なネットワークプロトコルのうちの任意のプロトコルに従って通信を行うように構成することができる。例えば、ウェブアプリケーション２１０Ａは、ＨＴＴＰを使用して、ウェブページなどの情報をウェブサーバから要求することができ、この要求はサービスプロバイダサーバ２４０又はサードパーティサーバ２５０上で実行される処理であってもよい。
【００４４】
サービスプロバイダサーバ２４０又はサードパーティサーバ２５０に含まれて、データベースサーバ、アプリケーションサーバ、ミドルウェアサーバ、及び広告サービスサーバのいくつかの構成が存在してもよい。データベースサーバは、ＭＩＣＲＯＳＯＦＴ  ＳＱＬ  ＳＥＲＶＥＲ、ＯＲＡＣＬＥ、ＩＢＭ  ＤＢ２、或いはリレーショナル又はその他の方式による任意の他のデータベースソフトウェアを含むことができる。アプリケーションサーバは、ＡＰＡＣＨＥ  ＴＯＭＣＡＴ、ＭＩＣＲＯＳＯＦＴ  ＩＩＳ、ＡＤＯＢＥ  ＣＯＬＤＦＵＳＩＯＮ、ＹＡＰＡＣＨＥ、又は通信プロトコルをサポートする任意のその他のアプリケーションサーバであってもよい。ミドルウェアサーバは、ソフトウェア構成要素又はアプリケーションを接続する任意のミドルウェアであってもよい。サービスプロバイダサーバ２４０又はサードパーティサーバ２５０上のアプリケーションサーバは、ユーザ１２０Ａ〜Ｎ及び収益創出者１１０Ａ〜Ｎにウェブページなどのページを提供することができる。広告サービスサーバは、ウェブページなどのページに広告を含めるためのプラットフォームを提供することができる。広告サービスサーバ２６０はまた、サービスプロバイダサーバ２４０及びサードパーティサーバ２５０から独立して存在することもできる。
【００４５】
１つのコンピュータ装置を別のコンピュータ装置に結合して、装置間のデータ通信を可能にするようにネットワーク２３０、２３５を構成することができる。ネットワーク２３０、２３５は、一般に、任意の形式のコンピュータ可読媒体を使用して、１つの装置から別の装置へ情報を通信できるようになる。ネットワーク２３０、２３５の各々は、無線ネットワーク、有線ネットワーク、ローカルエリアネットワーク（ＬＡＮ）、広域ネットワーク（ＷＡＮ）、ユニバーサルシリアルバス（ＵＳＢ）ポートなどを通じた直接接続などのうちの１又はそれ以上を含むことができると共に、インターネットを構成する相互接続ネットワークの組を含むことができる。ネットワーク２３０、２３５は、コンピュータ装置間で情報を伝達することができる任意の通信方法を含むことができる。
【００４６】
図３は、図１及び図２のシステム、又はモバイル装置上に広告を行うためのその他のシステムにおいて、ウェブ市場とモバイル市場との分離をサポートする機能についての図を示している。しかしながら、図示の構成要素のすべてを必要としなくてもよく、実施例によっては、図示していない追加の構成要素を含むことができるものもある。本願に記載の特許請求の思想又は範囲から逸脱することなく、構成及び構成要素の種類に変更を行うことができる。追加の、異なる、又はより少ない構成要素を設けることができる。
【００４７】
図３は、ワールドワイドウェブ３１０、ＭＮＯ  Ａ（１１５Ａ）、ＭＮＯ  Ｂ（１１５Ｂ）、ＭＮＯ  Ｎ（１１５Ｎ）、ネットワーク２３０、及びサービスプロバイダ１３０を含むことができる。このサービスプロバイダは、インタフェース３２０、トラフィックコントローラ３５０、モバイルトラフィックハンドラ３３０、及びウェブトラフィックハンドラ３４０を含むことができる。
【００４８】
ワールドワイドウェブ３１０は、ワールドワイドウェブ３１０に接続され、サービスプロバイダ１３０とやりとりを行い、ウェブアプリケーションＡ（２１０Ａ）などの標準ＨＴＭＬウェブページが提供する全検索機能を有するすべてのアプリケーションを表すことができる。ＭＮＯ１１５Ａ〜Ｎは、ＭＮＯ１１５Ａ〜Ｎに接続され、サービスプロバイダ１３０とやりとりを行う、モバイルアプリケーション２２０ＡＡ〜ＮＮなどのアプリケーションを表すことができる。サービスプロバイダ１３０は、インタフェース３２０を利用してネットワーク２３０からトラフィックを受信することができる。トラフィックコントローラ３５０は、トラフィックの発信元を特定し、このトラフィックを、適切なハンドラ、モバイルトラフィックハンドラ３３０又はウェブトラフィックハンドラ３４０へと導くことができる。
【００４９】
動作時には、ワールドワイドウェブ３１０及びＭＮＯ１１５Ａ〜Ｎは、ネットワーク２３０を介してサービスプロバイダ１３０と通信することができる。サービスプロバイダ１３０は、ネットワーク２３０を通じ、インタフェース３２０を介して、ワールドワイドウェブ３１０及びＭＮＯ１１５Ａ〜Ｎからトラフィックを受信することができる。インタフェース３２０は、トラフィックをトラフィックコントローラ３５０へ通信することができる。トラフィックコントローラ３５０はトラフィックの発信元を特定することができる。トラフィックコントローラ３５０は、要求に関連するＩＰアドレスを用いて、要求の発信元を特定することができる。
【００５０】
要求に関するユーザエージェント文字列からＩＰアドレスを取得することができる。ユーザエージェント文字列は、ＩＰアドレス又は通信事業者ＩＤなどの、要求の発信源に関する情報を含むことができる。所定のＭＮＯゲートウェイサーバ上の任意のユーザからの要求はすべて、同じ又は同様のＩＰアドレスを有することができる。従って、特定のＭＮＯゲートウェイサーバ又はＭＮＯからの要求は、一般に要求のＩＰアドレスにより識別できる場合がある。通信事業者ＩＤもまた、ＭＮＯゲートウェイサーバとして要求の発信源を特定することができる。
【００５１】
或いは、又はこれに加えて、サービスプロバイダ１３０は、ＭＮＯ１１５Ａ〜Ｎ及びワールドワイドウェブの各々に異なるモバイル検索サイトを提供することができる。モバイル検索サイトは、検索要求の発信源を示す、隠し入力変数又は何らかのその他の指標を含むことができる。例えば、通信事業者ＳＰＲＩＮＴ用のモバイル検索サイトは、この検索要求がＭＮＯ  ＳＰＲＩＮＴから発信されたことを示す「ｕｓｍｏｂｓｐｒｉｎｔｓｂ」という値を有する隠し入力変数を含むことができる。或いは、又はこれに加えて、サービスプロバイダ１３０は、ＭＮＯ１１５Ａ〜Ｎの各々に専用のフィードを提供することができる。これらのフィードは、ＭＮＯ１１５Ａ〜Ｎの各々のための別個のアプリケーションサーバにより実現することができる。要求を受信した先の特定のフィードは、要求の発信源を示すことができる。
【００５２】
トラフィックコントローラ３５０は、トラフィックの発信元を特定すると、このトラフィックを適切なハンドラへ転送することができる。トラフィックがＭＮＯ１１５Ａ〜Ｎのうちの１つから発信された場合、このトラフィックをモバイルトラフィックハンドラ３３０へ導くことができる。トラフィックがワールドワイドウェブ３１０から発生した場合、トラフィックコントローラ３５０は、このトラフィックをウェブトラフィックハンドラ３４０へ導くことができる。システム１００が、データベースフィールドの使用を通じてキーワードの分離を実行する場合、トラフィックコントローラ３５０は、モバイルトラフィックハンドラ３３０に要求の発信元を提供することができる。
【００５３】
システム１００が、プレフィックス識別子の使用を通じてキーワードの分離を実行する場合、トラフィックコントローラ３５０はトラフィックの発信元を特定し、この発信元に関係付けられたプレフィックス及びキーワードセパレータをキーワードに追加することができる。例えば、「ｄｖｄ」に関するキーワード検索が通信事業者ＳＰＲＩＮＴから発信された場合、トラフィックコントローラ３５０は、後に「ｖｘｖ」が続くプレフィックス「ｕｓｍｏｂｓｐｒｉｎｔｓｂ」を「ｄｖｄ」に追加することができ、その結果「ｕｓｍｏｂｓｐｒｉｎｔｓｂｖｘｖｄｖｄ」が生じる。次に、「ｕｓｍｏｂｓｐｒｉｎｔｓｂｖｘｖｄｖｄ」として検索キーワードをモバイルトラフィックハンドラ３３０へ転送することができる。その後、モバイルトラフィックハンドラ３３０は、「ｕｓｍｏｂｓｐｒｉｎｔｓｂｖｘｖｄｖｄ」を用いて、通信事業者ＳＰＲＩＮＴにおいてどの広告をキーワード「ｄｖｄ」に関連付けることができるかを決定することができる。或いは、又はこれに加えて、ウェブトラフィックハンドラ３４０などの１つのハンドラによりすべてのトラフィックを処理することができる。
【００５４】
モバイルトラフィックハンドラ３３０は、トラフィックコントローラ３５０からキーワード及び要求の発信元を受信することができる。その後、モバイルトラフィックハンドラ３３０は、ユーザＡＡ（１２０ＡＡ）などのユーザへどの広告を返すべきかを決定することができる。モバイルトラフィックハンドラ３３０は、最初にＭＮＯ  Ａ（１１５Ａ）などの通信事業者を特定することができる。ＭＮＯ  Ａ（１１５Ａ）用のキーワードに対する入札に関連する広告のみを選択することができる。プレフィックス識別子の場合、通信事業者を特定するステップを、正しいプレフィックスを識別するために用いることができる。その後、モバイルトラフィックハンドラ３３０は、ユーザＡＡ（１２０ＡＡ）へ返すべき１又はそれ以上の広告を選択することができる。この決定は、ＭＮＯにおけるキーワードに対する最高入札に関連する広告をユーザＡＡ（１２０ＡＡ）に対して表示することができるように、広告に対する入札額に基づくものであってもよい。或いは、又はこれに加えて、モバイルトラフィックハンドラ３３０は、広告のキーワードとの関連性、又はＹＡＨＯＯ！  ＳＥＡＲＣＨ  ＭＡＲＫＥＴＩＮＧ技術などのウェブ検索マーケティング技術によって利用されるその他の方法を考慮に入れてもよい。広告は、収益創出者のモバイルＵＲＬサイトへのリンク、及び広告タイトル、及び／又はユーザＡＡ（１２０ＡＡ）に対して表示されるリンクのテキストとしての記述から構成することができる。
【００５５】
収益創出者Ａ（１１０Ａ）が、ＭＮＯ  Ａ（１１５Ａ）用のモバイル広告を有していない場合、モバイルトラフィックハンドラ３３０は、モバイル広告の代わりに前述の「ＷＡＰ広告」を用いることができる。この「ＷＡＰ広告」は、収益創出者Ａ（１１０Ａ）の電話番号、及び／又は収益創出者Ａ（１１０Ａ）のロゴを含むことができる。「ＷＡＰ」広告用のデータは、広告タイトル又はＭＮＯリストの広告記述フィールドに記憶することができる。この「ＷＡＰ広告」により、収益創出者１１０Ａ〜Ｎがモバイルサイト又はモバイル通信事業者の技術をサポートするモバイルサイトを有していなくても、収益創出者１１０Ａ〜Ｎは、この通信事業者のキーワードに入札を行うことができるようになる。
【００５６】
サービスプロバイダ１３０は、広告タイトル及び／又は収益創出者Ａ（１１０Ａ）のロゴに基づいて、モバイル通信事業者の各々に対して「ＷＡＰ広告」又は「コールオファー」を作成できる技術を有することができる。例えば、サービスプロバイダ１３０は、ＭＮＯ１１５Ａ〜Ｎの各々に関する行を含むデータベーステーブル、及び各ＭＮＯ１１５Ａ〜Ｎに対して「ＷＡＰ広告」を作成するためのスケルトンコードを含むフィールドを有することができる。サービスプロバイダ１３０は、「ＷＡＰ広告」のスケルトンコードをたやすく取り出し、収益創出者Ａ（１１０Ａ）の広告タイトル及び／又は広告記述のテキスト及び／又はロゴを挿入することができる。その後、サービスプロバイダ１３０は、収益創出者Ａ（１１０Ａ）の代わりに「ＷＡＰ広告」をホストすることができる。
【００５７】
或いは、又はこれに加えて、サービスプロバイダ１３０は、ＹＡＨＯＯ！  ＳＵＳＨＩプラットフォームなどのミドルウェアを利用して、個々のＭＮＯ１１５Ａ〜Ｎに対して「ＷＡＰ広告」を適正に符号化することができる。「ＷＡＰ広告」に関連するデータは、ＸＭＬフォーマットでミドルウェアへ通信することができ、このミドルウェアは、ＷＭＬ、ＸＨＴＭＬ、ＮＴＴ  ＤＯＣＯＭＯ  ＩＭＯＤＥ  ＨＴＭＬ、又はｃＨＴＭＬなどの、個々のＭＮＯ１１５Ａ〜Ｎの基本となる技術に従うように「ＷＡＰ広告」を符号化することができる。
【００５８】
その後、モバイルトラフィックハンドラ３３０は、インタフェース３２０へ広告を通信することができる。インタフェース３２０は、この広告及び検索結果を、ネットワーク２３０及びＭＮＯ  Ａ（１１５Ａ）を介してモバイルアプリケーションＡＡ（２２０ＡＡ）へ通信することができる。モバイルアプリケーションＡＡ（２２０ＡＡ）は、この広告をユーザＡＡ（１２０ＡＡ）に表示することができる。
【００５９】
図４は、図１及び図２のシステム、又はモバイル装置上に広告を行うためのその他のシステムの動作を示すフロー図である。ブロック４１０において、サービスプロバイダ１３０は、ユーザＡＡ（１２０ＡＡ）などの、ユーザ１２０ＡＡ〜ＮＮのうちの１人からキーワード検索要求を受信することができる。ブロック４２０において、サービスプロバイダ１３０は、要求を行ったユーザＡＡ（１２０ＡＡ）のＩＰアドレスを特定することなどにより、要求の発信源を特定することができる。要求についてのＩＰアドレスを用いて、要求がモバイルネットワークから発信されたものであるかどうか、またそうであった場合、どのモバイルネットワークから発信されたものであるかを判定することができる。要求が、サービスプロバイダ１３０に属するページにより発生したものである場合、このページは、要求の発信源であるＭＮＯを特定する隠し変数を有することができる。或いは、又はこれに加えて、サービスプロバイダ１３０はこのＭＮＯに関する専用フィードを有することができる。
【００６０】
ブロック４３０において、サービスプロバイダ１３０は、この要求がモバイルネットワークから発信されたものであるかどうかを判定することができる。要求がモバイルネットワークから発信されたものでない場合、システム１００はブロック４４０へ移動する。ブロック４４０では、この要求を従来のウェブトラフィックとして処理すると共に、ウェブ検索マーケティングシステムへ転送することができる。サービスプロバイダ１３０が、この要求はモバイルネットワークから発生したものであると判定した場合、システム１００はブロック４５０へ移動することができる。ブロック４５０において、ＭＮＯ  Ａ（１１５Ａ）などの、発信元であるモバイルネットワークを特定することができる。要求を行ったユーザＡＡ（１２０ＡＡ）のＩＰアドレスにより、モバイルネットワークを特定することができる。この要求が、サービスプロバイダ１３０に属するページによって発生したものである場合、このページは、要求の発信源であるＭＮＯを特定する隠し変数を有することができる。或いは、又はこれに加えて、サービスプロバイダ１３０はこのＭＮＯに関する専用フィードを有することができる。
【００６１】
発信元であるモバイルネットワークを特定すると、システム１００はブロック４６０へ移動することができる。ブロック４６０において、サービスプロバイダ１３０は、発信元であるＭＮＯのキーワードに対して入札を行うことができる１又はそれ以上の収益創出者１１０Ａ〜Ｎを選択することができる。サービスプロバイダ１３０は、ＭＮＯ  Ａ（１１５Ａ）などの、発信元であるモバイルネットワークにおけるキーワードに対して最高入札を行った収益創出者１１０Ａ〜Ｎを選択することができる。或いは、又はこれに加えて、サービスプロバイダ１３０は、ウェブベースの検索マーケティングシステムにおいて収益創出者１１０Ａ〜Ｎの広告を選択するのに用いる任意の方法を用いることができる。この方法は、どの広告又は「ＷＡＰ広告」が、ユーザＡＡ（１２０ＡＡ）により検索されたキーワードに最も関連する可能性があるかを判定する関連性評価と入札額を組み合わせるステップを含むことができる。
【００６２】
収益創出者Ａ（１１０Ａ）などの収益創出者が選択されると、システム１００はブロック４７０へ移動することができる。ブロック４７０において、サービスプロバイダ１３０は、収益創出者Ａ（１１０Ａ）がＭＮＯ  Ａ（１１５Ａ）用のモバイル広告を有しているかどうかを判定することができる。収益創出者Ａ（１１０Ａ）がモバイル広告を有していない場合、システム１００はブロック４８０へ移動することができる。ブロック４８０において、サービスプロバイダ１３０は、収益創出者Ａ（１１０Ａ）のために前述の「ＷＡＰ広告」を作成することができる。この「ＷＡＰ」広告は、広告タイトル及び／又はＭＮＯリストの広告記述フィールドに記憶されたデータに基づくことができる。
【００６３】
収益創出者Ａ（１１０Ａ）がＭＮＯ  Ａ（１１５Ａ）用のモバイル広告を有している場合、或いは「ＷＡＰ広告」が作成されると、システム１００はブロック４９０へ移動することができる。ブロック４９０において、サービスプロバイダ１３０は、要求を行ったユーザＡＡ（１２０ＡＡ）にモバイル広告及び検索結果を提供することができる。サービスプロバイダ１３０は、これらのデータを、ネットワーク２３０、２３５を通じてＭＮＯ  Ａ（１１５Ａ）へ通信することができる。ＭＮＯ  Ａ（１１５Ａ）は、これらのデータをユーザＡＡ（１２０ＡＡ）へ通信することができる。
【００６４】
図５は、図１及び図２のシステム、又はモバイル装置上に広告を行うためのその他のシステムにおいて、収益創出者１１０Ａ〜Ｎのうちの１つがとることができるステップを示すフロー図である。収益創出者Ａ（１１０Ａ）などの収益創出者１１０Ａ〜Ｎのうちの１つが、ＭＮＯ  Ａ（１１５Ａ）などの通信事業者のキーワードに対して入札を望む場合、これらのステップが生じる可能性がある。ブロック５１０において、収益創出者Ａ（１１０Ａ）は、サービスプロバイダ１３０にログオンすることなどにより、サービスプロバイダサーバ２４０とやりとりを行う。ブロック５２０において、収益創出者Ａ（１１０Ａ）は、要求を通信してモバイルキーワードに対して入札を行うことができる。
【００６５】
ブロック５３０において、収益創出者Ａ（１１０Ａ）は、入札したいと望むキーワードを特定する情報を通信することができる。ブロック５４０において、収益創出者Ａ（１１０Ａ）は、該収益創出者Ａ（１１０Ａ）がキーワードに対する入札を望む、ＭＮＯ  Ａ（１１５Ａ）などの１又はそれ以上のＭＮＯ１１５Ａ〜Ｎを特定することができる。収益創出者Ａ（１１０Ａ）が１又はそれ以上のＭＮＯ１１５Ａ〜Ｎを特定すると、システム１００はブロック５５０へ移動することができる。ブロック５５０において、収益創出者Ａ（１１０Ａ）は、ＭＮＯ  Ａ（１１５Ａ）の特定したキーワードに対して入札を行うことができる。収益創出者Ａ（１１０Ａ）によって行われる入札は、ＭＮＯ  Ａ（１１５Ａ）において検索が行われた時のキーワードにのみ適用することができる。収益創出者Ａ（１１０Ａ）は、入札を適用できる１又はそれ以上のその他のＭＮＯ１１５Ｂ〜Ｎを指定することができる。
【００６６】
ブロック５４０において、収益創出者Ａ（１１０Ａ）は、モバイル広告及び該広告がリンクできるモバイルＵＲＬをサービスプロバイダ１３０へ通信することができる。モバイル広告は、広告についての記述及び／又は広告のタイトルで構成することができる。モバイル装置の画面上で利用できる領域は限られているため、モバイル広告はウェブ広告よりも比較的短くされる必要があると考えられる。或いは、又はこれに加えて、広告は、画像、音響及び／又は映像要素などのその他の要素を含むことができる。収益創出者Ａ（１１０Ａ）が、ＭＮＯ  Ａ（１１５Ａ）用のモバイルＵＲＬを有していない場合、サービスプロバイダ１３０は、収益創出者Ａ（１１０Ａ）のために「ＷＡＰ広告」を作成することができる。「ＷＡＰ広告」はＭＮＯ用のモバイルページであり、収益創出者Ａ（１１０Ａ）の電話番号及び／又はロゴを含むことができる。収益創出者Ａ（１１０Ａ）のＭＮＯリストの広告記述フィールドに、この「ＷＡＰ広告」を記憶することができる。
【００６７】
図６は、図１及び図２のシステム、又はモバイル装置上に広告を行うためのその他のシステムにおいて、ユーザ１２０ＡＡ〜ＮＮのうちの１人がとることができるステップを示すフロー図である。ユーザＡＡ（１２０ＡＡ）などの、ユーザ１２０ＡＡ〜ＮＮのうちの１人が、ＭＮＯ  Ａ（１１５Ａ）などのＭＮＯ１１５Ａ〜Ｎを介してモバイルアプリケーション２２０ＡＡ〜ＮＮ上で検索を実行する場合、これらのステップが生じる可能性がある。ブロック６１０において、ユーザＡＡ（１２０ＡＡ）は、モバイルアプリケーションＡＡ（２２０ＡＡ）から検索を実行することなどにより、モバイルアプリケーションＡＡ（２２０ＡＡ）を介してサービスプロバイダ１３０とやりとりを行うことができる。ブロック６２０において、サービスプロバイダ１３０は、ユーザＡＡ（１２０ＡＡ）の要求の発信元である、ＭＮＯ  Ａ（１１５Ａ）などの通信事業者を特定することができる。ブロック６３０において、サービスプロバイダ１３０は、ＭＮＯ  Ａ（１１５Ａ）において検索されたキーワードにどの広告を関連付けることができるかを決定することができる。サービスプロバイダ１３０は、ＭＮＯ  Ａ（１１５Ａ）から検索されたキーワードに対して入札を行うことができる収益創出者１１０Ａ〜Ｎからの広告を選択することができる。サービスプロバイダ１３０は、ＭＮＯ  Ａ（１１５Ａ）からのキーワードに対して最高入札を行った収益創出者Ａ（１１０Ａ）を選択することができる。或いは、又はこれに加えて、サービスプロバイダ１３０は、ユーザＡＡ（１２０ＡＡ）に表示するための２以上の広告を選択することができる。ユーザＡＡ（１２０ＡＡ）の装置の画面サイズは、どれだけの数の広告をユーザＡＡ（１２０ＡＡ）へ通信するかを決定する上で用いられる要因となり得る。
【００６８】
ブロック６４０において、サービスプロバイダ１３０は、ＭＮＯ  Ａ（１１５Ａ）及びモバイルアプリケーションＡＡ（２２０ＡＡ）を介してユーザＡＡ（１２０ＡＡ）へ広告及び検索結果を通信することができる。ブロック６５０において、ユーザＡＡ（１２０ＡＡ）は、モバイルアプリケーションＡＡ（２２０ＡＡ）を介して検索結果及び添付広告を閲覧することができる。
【００６９】
図７は汎用コンピュータシステム７００を示す図であり、このコンピュータシステムは、サービスプロバイダサーバ２４０、サードパーティサーバ２５０、広告サービスサーバ２６０、モバイル装置、又は本明細書で参照するその他のコンピュータ装置のうちの任意のコンピュータ装置を表すものであってもよい。コンピュータシステム７００は、本明細書に開示する方法又はコンピュータベースの機能のうちの任意の１又はそれ以上をコンピュータシステム７００に実行させるべく実行することができる命令セット７２４を含むことができる。コンピュータシステム７００は、スタンドアローン装置として動作するか、或いは、例えばネットワークを用いて、このシステムを他のコンピュータシステム又は周辺装置に接続することができる。
【００７０】
ネットワーク展開においては、このコンピュータシステムは、サーバ−クライアントユーザネットワーク環境におけるサーバの役割として、又はクライアントユーザコンピュータとして、或いはピアツーピア（又は分散）ネットワーク環境におけるピアコンピュータシステムとして動作することができる。また、パーソナルコンピュータ（ＰＣ）、タブレットＰＣ、セットトップボックス（ＳＴＢ）、携帯情報端末（ＰＤＡ）、モバイル装置、パームトップコンピュータ、ラップトップコンピュータ、デスクトップコンピュータ、通信装置、無線電話機、固定電話機、制御システム、カメラ、スキャナ、ファクシミリ装置、プリンタ、ページャ、個人信用装置、ウェブ機器、ネットワークルータ、スイッチ又はブリッジ、又はマシンがとるべきアクションを指定する命令セット７２４を（順次に又は別の方法で）実行することができる任意のその他のマシンなどの様々な装置としてこのコンピュータシステム７００を実現するか、或いは該システムをこれら様々な装置の中に組み込むこともできる。特定の実施形態では、音声、映像、又はデータ通信を可能にする電子装置を用いて、コンピュータシステム７００を実現することができる。さらに、単一のコンピュータシステム７００を示すこともできるが、この「システム」という用語はまた、１又はそれ以上のコンピュータ機能を実行するための単一の又は複数の命令セットを個々に又は共同で実行するシステム又はサブシステムの任意の集合を含むものであると理解すべきである。
【００７１】
図７に示すように、コンピュータシステム７００は、中央処理ユニット（ＣＰＵ）、グラフィック処理ユニット（ＧＰＵ）、又はこれら両方などのプロセッサ７０２を含むことができる。プロセッサ７０２は様々なシステムにおける構成要素であってもよい。例えば、プロセッサ７０２は、標準のパーソナルコンピュータ又はワークステーションの一部であってもよい。プロセッサ７０２は、１又はそれ以上の汎用プロセッサ、デジタル信号プロセッサ、特定用途向け集積回路、フィールドプログラマブルゲートアレイ、サーバ、ネットワーク、デジタル回路、アナログ回路、これらの組み合わせ、又はデータを分析し、処理するための現在公知の、或いは将来開発される装置であってもよい。プロセッサ７０２は、手動で生成された（すなわちプログラムされた）コードなどのソフトウェアプログラムを実行することができる。
【００７２】
コンピュータシステム７００は、バス７０８を介して通信を行うことができるメモリ７０４を含むことができる。このメモリ７０４は、主メモリ、静的メモリ、又は動的メモリであってもよい。メモリ７０４は、以下に限定されるわけではないが、ランダムアクセスメモリ、リードオンリメモリ、プログラム可能リードオンリメモリ、電気的にプログラム可能なリードオンリメモリ、電気的に消去可能なリードオンリメモリ、フラッシュメモリ、磁気テープ又は磁気ディスク、光媒体などを含む様々な種類の揮発性及び不揮発性記憶媒体などのコンピュータで読み取り可能な記憶媒体を含むことができるが、これらに限定される必要はない。１つの例では、メモリ７０４は、プロセッサ７０２のためのキャッシュメモリ又はランダムアクセスメモリを含むことができる。或いは、又はこれに加えて、メモリ７０４は、プロセッサのキャッシュメモリ、システムメモリ、又はその他のメモリなどの、プロセッサ７０２とは別個のものであってもよい。メモリ７０４は、データを記憶するための外部記憶装置、又はデータベースであってもよい。これらの例は、ハードドライブ、コンパクトディスク（「ＣＤ」）、デジタルビデオディスク（「ＤＶＤ」）、メモリカード、メモリスティック、フロッピー（登録商標）ディスク、ユニバーサルシリアルバス（「ＵＳＢ」）メモリ装置、又はデータを記憶すべく動作する任意のその他の装置を含むことができる。メモリ７０４は、プロセッサ７０２により実行可能な命令７２４を記憶するために動作できるものであってもよい。図示の、或いは本明細書で説明する機能、行為、又はタスクは、メモリ７０４に記憶された命令７２４を実行するプログラム済みのプロセッサ７０２によって実行することができる。これらの機能、行為、又はタスクは、特定の種類の命令セット、記憶媒体、プロセッサ又は処理方法から独立したものであってもよく、単独で又は組み合わせて動作する、ソフトウェア、ハードウェア、集積回路、ファームウェア、マイクロコードなどによって実行することができる。同様に、処理方式は、多重処理、マルチタスク処理、並列処理などを含むことができる。
【００７３】
コンピュータシステム７００は、液晶ディスプレイ（ＬＣＤ）、有機発光ダイオード（ＯＬＥＤ）、フラットパネルディスプレイ、固体ディスプレイ、陰極線管（ＣＲＴ）、プロジェクタ、プリンタ、又は決定済みの情報を出力するための現在公知の、或いは将来開発されるディスプレイ装置などのディスプレイ７１４をさらに含むことができる。ディスプレイ７１４は、ユーザがプロセッサ７０２の動作を見るためのインタフェースとして、或いは、特にメモリ７０４又はドライブユニット７０６に記憶されたソフトウェアとのインタフェースとしての役割を果たすことができる。
【００７４】
加えて、コンピュータシステム７００は、ユーザがシステム７００の構成要素のうちの任意の構成要素とやりとりできるようにするように構成された入力装置７１２を含むことができる。入力装置７１２は、数字パッド、キーボード、又はマウス、ジョイスティック、タッチスクリーンディスプレイ、リモコンなどのカーソル制御装置、或いはシステム７００とやりとりすべく動作する任意のその他の装置であってもよい。
【００７５】
またコンピュータシステム７００は、ディスクドライブユニット又は光ドライブユニット７０６を含むことができる。ディスクドライブユニット７０６は、ソフトウェアなどの１又はそれ以上の命令セット７２４を組み込むことができるコンピュータ可読媒体７２２を含むことができる。さらに、この命令７２４は、本明細書で説明する方法又は論理のうちの１又はそれ以上を実行することができる。命令７２４は、コンピュータシステム７００による実行中に、メモリ７０４内及び／又はプロセッサ７０２内に完全に、又は少なくとも部分的に存在することができる。メモリ７０４及びプロセッサ７０２もまた、上述のようなコンピュータ可読媒体を含むことができる。
【００７６】
本開示は、命令７２４を含むか、或いは送信信号に応答して命令７２４を受信し、実行するコンピュータ可読媒体７２２を企図するものであり、これにより、ネットワーク２３５に接続された装置が、ネットワーク２３５を介して音声、映像、音響、画像、又は任意の他のデータを通信できるようになる。ハードウェア、ソフトウェア、及び／又はファームウェア、又はこれらの任意の組み合わせにより、命令７２４を実行することができる。さらに、通信インタフェース７１８を介してネットワーク２３５を通じて、この命令７２４を送受信することができる。通信インタフェース７１８は、プロセッサ７０２の一部であるか、或いは別個の構成要素であってもよい。通信インタフェース７１８は、ソフトウェアの形で作成されるか、或いはハードウェアにおける物理的な接続であってもよい。通信インタフェース７１８は、ネットワーク２３５、外部媒体、ディスプレイ７１４、又はシステム７００内の任意のその他の構成要素、或いはこれらの組み合わせと接続するように構成することができる。ネットワーク２３５との接続は、有線イーサネット（登録商標）接続などの物理的な接続とするか、或いは以下に解説するように無線で確立することができる。同様に、システム７００の他の構成要素との追加接続は、物理的な接続とするか、或いは無線で確立することができる。サービスプロバイダサーバ２４０、サードパーティサーバ２５０、広告サービスサーバ２６０の場合、サーバは、通信インタフェース７１８を通じてユーザ１２０Ａ〜Ｎ及び収益創出者１１０Ａ〜Ｎと通信することができる。
【００７７】
ネットワーク２３５は、有線ネットワーク、無線ネットワーク、又はこれらの組み合わせを含むことができる。無線ネットワークは、セルラー電話ネットワーク、８０２．１１、８０２．１６、８０２．２０、又はＷｉＭａｘネットワークであってもよい。さらにネットワーク２３５は、インターネットなどの公衆ネットワーク、イントラネットなどの私設ネットワーク、又はこれらの組み合わせであってもよく、以下に限定されるわけではないが、ＴＣＰ／ＩＰベースのネットワークプロトコルを含む現在利用可能な、又は将来開発される様々なネットワークプロトコルを利用することができる。
【００７８】
コンピュータ可読媒体７２２は単一媒体であってもよく、或いはこのコンピュータ可読媒体７２２は、中央集中型又は分散型データベース、及び／又は１又はそれ以上の命令セットを記憶する、関連するキャッシュ及びサーバなどの単一媒体又は複数媒体であってもよい。「コンピュータ可読媒体」という用語はまた、プロセッサにより実行するための命令セットを記憶、符号化、又は搬送することができる任意の媒体、或いは、本明細書に開示する方法又は動作のうちの任意の１つ又はそれ以上をコンピュータシステムに実行させることができる任意の媒体を含むことができる。
【００７９】
コンピュータ可読媒体７２２は、メモリカード、或いは１又はそれ以上の不揮発性リードオンリメモリを内蔵するその他のパッケージなどの固体メモリを含むことができる。コンピュータ可読媒体７２２はまた、ランダムアクセスメモリ又はその他の揮発性再書き込み可能メモリであってもよい。加えて、コンピュータ可読媒体７２２は、ディスク又はテープなどの光磁気媒体又は光媒体、或いは送信媒体を介して通信される信号などの搬送波信号を取り込むためのその他の記憶装置を含むことができる。電子メールへのデジタルファイルの添付、又はその他の独立情報のアーカイブ又はアーカイブの組は、有形記憶媒体であってもよい配信媒体であると考えることができる。従って、本開示は、コンピュータ可読媒体又は配信媒体、並びにデータ又は命令を記憶することができる他の均等物及び後継媒体のうちの任意の１つ又はそれ以上を含むものであると考えることができる。
【００８０】
或いは、又はこれに加えて、特定用途向け集積回路、プログラム可能論理アレイ、及びその他のハードウェア装置などの専用ハードウェアの実装を構築して、本明細書で説明する方法のうちの１つ又はそれ以上を実行することができる。様々な実施形態の装置及びシステムを含むことができるアプリケーションは、様々な電子システム及びコンピュータシステムを広く含むことができる。本明細書で説明する１又はそれ以上の実施形態は、２又はそれ以上の特定の相互接続したハードウェアモジュール又は装置を、これらのモジュール間で及びこれらのモジュールを通じて通信を行うことができる関連する制御信号及びデータ信号と共に使用して、或いは特定用途向け集積回路の一部として機能を実行することができる。従って、本システムは、ソフトウェア、ファームウェア、及びハードウェアの実施構成を含むことができる。
【００８１】
図８は、図１及び図２のシステム、又はモバイル装置上に広告を行うための任意のその他のシステムにおける、収益創出者のインタフェースである収益創出者の口座概要図の実施構成を示すスクリーンショットである。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。スクリーンショット８００は、警告テーブル８１０、口座概要テーブル８２０、口座運用実績テーブル８３０、口座ドロップダウンボックス８４０、及び収益創出者の識別子８５０を含むことができる。
【００８２】
収益創出者の識別子８５０により、現在サービスプロバイダ１３０とやりとりを行っている収益創出者を特定することができる。スクリーンショット８００では、この収益創出者は、「ｙｓｍｍｏｂｉｌｅ」であると特定することができる。収益創出者Ａ（１１０Ａ）は、口座ドロップダウンボックス８４０から異なる口座を選択することにより、表示する口座を変更することができる。スクリーンショット８４０では、現時点で表示されている口座は、「Ｍｏｂｉｌｅ  Ｔｅｓｔ  Ａ／Ｃ  （２０１０１６５８３３）」であると考えられる。警告テーブル８１０、口座概要テーブル８２０、及び口座運用実績テーブル８３０は、「Ｍｏｂｉｌｅ  Ｔｅｓｔ  Ａ／Ｃ  （２０１０１６５８３３）」などの選択された口座に関するデータを表示することができる。
【００８３】
警告テーブル８１０は、支払いに関する注意、又は収益創出者Ａ（１１０Ａ）の予算が低い可能性があるという旨の注意などの、選択された口座に関する現在の警告を表示することができる。口座概要テーブル８２０は、状態、口座残高、日々の予算、日々の平均コスト、及び残高枯渇までの日数などの、選択された口座に関する情報を表示することができる。口座運用実績テーブル８３０は、過去７日間又は任意のその他の期間の、選択された口座の運用実績を表示することができる。口座運用実績テーブル８３０は、過去の日々の各々の、又はその他の期間の口座情報、及び全期間における総計を表示することができる。口座運用実績テーブル８３０は、すべての広告活動から得られる概要データ、総インプレッション数、総クリック数、平均クリックスルー率、総経費、及び予算などの、この口座についてのリスト及び通信事業者リストを表示することができる。
【００８４】
図９は、図１及び図２のシステム、又はモバイル装置上に広告を行うための任意のその他のシステムにおける、収益創出者のインタフェースである収益創出者の口座設定図の実施構成を示すスクリーンショットである。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。この口座設定画面により、収益創出者Ａ（１１０Ａ）は、選択した口座に関するデフォルト設定を見たり、又は変更したりできるようになる。スクリーンショット９００は、口座ドロップダウンボックス８４０、収益創出者の識別子８５０、デフォルト入札テキストボックス９１０、モバイルサイトチェックボックス９２０、デフォルトＵＲＬテキストボックス９３０、デフォルト電話番号テキストボックス９４０、ロゴ表示部９５０、ロゴテキストボックス９６０、ブラウズボタン９７０、及び更新ボタン９８０を含むことができる。
【００８５】
収益創出者Ａ（１２０Ａ）は、デフォルト入札テキストボックス９１０にデフォルトの入札額を入力することができる。収益創出者Ａ（１１０Ａ）がモバイルサイトを有していれば、収益創出者Ａ（１１０Ａ）は、モバイルサイトチェックボックス９２０にチェックを入れることができる。収益創出者Ａ（１１０Ａ）がモバイルサイトを有していれば、収益創出者Ａ（１１０Ａ）は、デフォルトＵＲＬテキストボックス９３０にそのモバイルサイトのＵＲＬを入力することができる。
【００８６】
収益創出者Ａ（１１０Ａ）がモバイルサイトを有していなければ、サービスプロバイダ１３０は、収益創出者Ａ（１１０Ａ）のために「ＷＡＰ広告」を作成することができる。「ＷＡＰ広告」は、収益創出者Ａ（１１０Ａ）の電話番号及びロゴ、並びにショートメッセージを含むことができる。収益創出者Ａ（１１０Ａ）は、デフォルト電話番号ボックス９４０に自身の電話番号を記入することができる。収益創出者Ａ（１１０Ａ）は、ロゴテキストボックス９６０に自身のロゴ位置を指定することができる。或いは、又はこれに加えて、収益創出者Ａ（１１０Ａ）は、ブラウズボタン９７０をクリックすることにより自身のロゴを求めてブラウズを行うことができる。ロゴ表示部９５０にロゴのプレビューを表示することができる。収益創出者Ａ（１１０Ａ）は、更新ボタン９８０をクリックすることにより、これらの変更をサービスプロバイダ１３０に提出することができる。
【００８７】
図１０は、図１及び図２のシステム、又はモバイル装置上に広告を行うための任意のその他のシステムにおける、収益創出者のインタフェースである収益創出者の広告活動概要図の実施構成を示すスクリーンショットである。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。この広告活動概要画面により、収益創出者Ａ（１１０Ａ）は、現在の広告活動について眺め、広告活動についての状態を変更し、広告活動をリネームしたり、追加したり、又は削除したりできるようになる。スクリーンショット１０００は、広告活動概要テーブル１０１０、口座ドロップダウンボックス８４０、及び収益創出者の識別子８５０を含むことができる。広告活動概要テーブル１０１０は、広告活動追加テキストボックス１０２０、広告活動追加ボタン１０２２、更新ボタン１０１８、並びに各々が収益創出者Ａ（１１０Ａ）の広告活動を表す１又はそれ以上のデータの行を含むことができる。各データの行は、広告活動名リンク１０１２、広告活動におけるキーワード数、広告活動の状態、新規状態ドロップダウンボックス１０４０、広告活動リネームテキストボックス１０１４、及び削除チェックボックス１０１６を含むことができる。
【００８８】
広告活動名リンク１０１２は、収益創出者Ａ（１１０Ａ）に対して広告活動名を表示することができる。収益創出者Ａ（１１０Ａ）が、広告活動名リンク１０１２をクリックした場合、収益創出者Ａ（１１０Ａ）に対して、図１１及び図１２に表示されるような、広告活動についてのリスト管理画面を表示することができる。新しい状態ドロップダウンボックス１０４０により、収益創出者Ａ（１１０Ａ）は、オフライン又はオンラインへなどの、この広告活動の状態を変更できるようになる。収益創出者Ａ（１１０Ａ）は、広告活動リネームテキストボックス１０１４内に新しい名前をタイプすることにより、この広告活動をリネームできるものである。収益創出者は、削除テキストボックス１０１６にチェックを入れることにより、この広告活動を削除することができる。収益創出者Ａ（１１０Ａ）は、更新ボタン１０１８をクリックすることにより、この広告活動に対する変更を提出することができる。収益創出者Ａ（１１０Ａ）は、広告活動追加テキストボックス１０２０内に広告活動名をタイプし、続いて広告活動追加ボタン１０２２をクリックすることにより、広告活動を追加することができる。
【００８９】
図１１は、図１及び図２のシステム、又はモバイル装置上に広告を行うための任意のその他のシステムにおける、収益創出者のインタフェースである収益創出者のリスト管理図の実施構成を示すスクリーンショット１１００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。このリストインタフェース画面により、収益創出者Ａ（１１０Ａ）は、リスト及び通信事業者リストを追加／修正／閲覧できるようになる。スクリーンショット１１００は、リスト概要テーブル１１１０、広告制作物管理テーブル１１４０、オファー管理テーブル１１６０、口座ドロップダウンボックス８４０、及び収益創出者の識別子８５０を含むことができる。
【００９０】
リスト概要テーブル１１１０は、広告活動ドロップダウンボックス１１１２、キーワード追加テキストボックス１１１４、キーワード追加ボタン１１１６、リスト更新ボタン１１３０、前のリストへのリンク１１３２、次のリストへのリンク１１３４、及び１又はそれ以上のキーワードデータの行を含むことができる。このキーワードデータの行は、キーワードリンク１１２０、最大入札額、状態、新規最大入札額テキストボックス１１２２、新規状態ドロップダウンボックス１１２４、広告活動変更ドロップダウンボックス１１２６、及びキーワード削除チェックボックス１１２８を含むことができる。
【００９１】
広告制作物管理テーブル１１４０は、通信事業者タブ１１７０、モバイルサイトチェックボックス１１４２、リストタイトルテキストボックス１１４４、モバイルサイトＵＲＬテキストボックス１１４６、最大入札額テキストボックス１１４８、変更適用ラジオボタン１１５８、リストプレビューウィンドウ１１５２、提出ボタン１１５４、及びデフォルト値ボタン１１５６を含むことができる。オファー管理テーブル１１６０は、状態ドロップダウンボックス１１６２、最大入札額テキストボックス１１６４、変更適用ラジオボタン１１６６、及びオファー更新ボタン１１６８を含むことができる。
【００９２】
リスト概要テーブル１１１０は、広告活動ドロップダウンボックス１１１２により特定される広告活動のリストすべてを表示することができる。広告活動ドロップダウンボックスにより、収益創出者Ａ（１１０Ａ）は、口座ドロップダウンボックス８４０に特定される口座に関連する広告活動のうちの１つを選択できるようになる。口座ドロップダウンボックス８４０は、収益創出者Ａ（１１０Ａ）に関連する口座のすべてを含むことができる。概要リストテーブル１１１０は、広告活動の各リストについてのデータの行を含むことができる。これらのデータは、上記リストに関連するキーワード、リストの最大入札額、及びリストの状態を含むことができる。収益創出者は、新規最大入札額テキストボックス１１２２に、キーワードに対する最大入札額を入力することができる。新規状態ドロップダウンボックス１１２４を変更することにより、キーワードの状態を修正することができる。広告活動変更ドロップダウンボックス１１２６により、リストが関連する広告活動を修正することができる。削除チェックボックス１１２８をクリックすることにより、リストを削除することができる。収益創出者Ａ（１１０Ａ）は、リスト更新ボタン１１３０をクリックすることによりこれらの変更を提出することができる。前のリストへのリンク１１３２及び次のリストへのリンク１１３４により、収益創出者Ａ（１１０Ａ）は、選択した広告活動に関連するその他のリストを閲覧できるようになる。
【００９３】
収益創出者Ａ（１１０Ａ）は、キーワードリンク１１２０をクリックして、キーワードの通信事業者リストに関連するデータを変更することができる。収益創出者Ａ（１１０Ａ）がキーワードリンク１１２０をクリックすると、広告制作物管理テーブル１１４０及びオファー管理テーブル１１６０が更新され、クリックされたキーワードリンク１１２０に関連するデータを反映できるようになる。通信事業者リストデータは、広告制作物管理テーブル１１４０及びオファー管理テーブル１１６０において修正することができる。広告制作物管理テーブル１１４０により、収益創出者Ａ（１１０Ａ）は、このキーワードに関する個々の通信事業者リストに関連する広告を修正できるようになる。収益創出者Ａ（１１０Ａ）は、通信事業者タブ１１７０をクリックスルーすることにより、通信事業者リストの各々に関連するデータを閲覧することができる。
【００９４】
広告制作物管理テーブル１１４０は、収益創出者Ａ（１１０Ａ）が現在閲覧しているキーワードを表示することができる。収益創出者Ａ（１１０Ａ）は、モバイルサイトチェックボックス１１４２をクリックすることにより、自分がこの通信事業者用のモバイルサイトを有しているかどうかを特定することができる。収益創出者Ａ（１１０Ａ）が、通信事業者タブ１１７０によって特定された通信事業者用のモバイルサイトを有していれば、収益創出者Ａ（１１０Ａ）は、リストタイトルテキストボックス１１４４に広告のタイトルを入力することができる。リストタイトルは、ユーザ１２０ＡＡ〜ＮＮに対して表示することができる広告のテキストであってもよい。収益創出者Ａ（１１０Ａ）は、モバイルサイトＵＲＬテキストボックス１１４６に、この通信事業者用のモバイルサイトのＵＲＬを入力することができる。モバイルサイトのＵＲＬは、ユーザ１２０ＡＡ〜ＮＮが収益創出者Ａ（１１０Ａ）の広告をクリックした時に、ユーザ１２０ＡＡ〜ＮＮを誘導することができるＵＲＬであってもよい。収益創出者Ａ（１１０Ａ）は、最大入札額テキストボックス１１４８で、この通信事業者におけるキーワードに対する最大入札額を確認することができる。この最大入札額は、収益創出者Ａ（１１０Ａ）が、通信事業者のユーザ１２０ＡＡ〜ＮＮに対して自身の広告を表示させるために支払う用意ができる最大金額を特定できるものである。変更適用ラジオボタン１１５８により、収益創出者Ａ（１１０Ａ）は、どの通信事業者に対して変更を適用できるかを指定できるようになる。収益創出者Ａ（１１０Ａ）は、提出ボタン１１５４をクリックすることにより変更を提出することができる。
【００９５】
収益創出者Ａ（１１０Ａ）は、デフォルト値ボタン１１５６をクリックして、口座設定スクリーンショット９００で確認した任意のデフォルト値で、広告制作物管理テーブル１１４０のデータフィールドを満たすことができる。リストプレビューウィンドウ１１５２内に広告のプレビューを表示することができる。収益創出者Ａ（１１０Ａ）が広告制作物管理テーブル１１４０に変更を加える場合、収益創出者Ａ（１１０Ａ）は、編集許可を必要とすることがある。編集許可には、サービスプロバイダ１３０の監督者又は口座管理者よる、所定の通信事業者のリストに対する広告制作物の変更の許可が必要となる場合がある。この編集許可プロセスは、広告が、嫌悪語を含まず、他の商標を侵害せず、或いは別様にユーザ１２０ＡＡ〜ＮＮに対する表示上不適切ではないということを保証することができるものである。或いは、又はこれに加えて、編集許可を自動化したり、及びサービスプロバイダ１３０が実施するようにしてもよい。
【００９６】
オファー管理テーブル１１６０により、収益創出者Ａ（１１０Ａ）は、通信事業者リストに関連する、編集許可を必要としないデータの一部を修正できるようになる。収益創出者Ａ（１１０Ａ）は、状態ドロップダウンボックス１１６２をクリックすることにより通信事業者リストの状態を変更することができる。収益創出者Ａ（１１０Ａ）は、最大入札額テキストボックス１１６４で入札額を修正することができる。収益創出者Ａ（１１０Ａ）は、変更適用ラジオボタン１１６６を用いて、どの通信事業者に変更を適用できるか選択することができる。収益創出者Ａ（１１０Ａ）は、オファー更新ボタン１１６８をクリックすることにより、オファー管理テーブル１１６０の情報を更新することができる。
【００９７】
或いは、又はこれに加えて、サービスプロバイダ１３０及び／又は収益創出者１１０Ａ〜Ｎは、ミドルウェアを用いてＹＡＨＯＯ！  ＭＯＢＩＬＥ  ＳＵＳＨＩプラットフォームなどのプレゼンテーション抽象層を実現し、複数のＭＮＯ１１５Ａ〜Ｎにわたって広告活動を創造するプロセスを簡単にすることができる。
【００９８】
図１２は、図１及び図２のシステム、又はモバイル装置上に広告を行うための任意のその他のシステムにおける、収益創出者のインタフェースである収益創出者のリスト管理図の実施構成を示すスクリーンショット１２００である。このスクリーンショット１２００は、特定の通信事業者用のモバイルサイトを有していない可能性がある収益創出者１１０Ａ〜Ｎに対して「ＷＡＰ広告」の実施構成を示している。広告制作物管理テーブル１１４０にこの機能を示すことができる。スクリーンショット１２００の他の部分は、図１１のスクリーンショット１１００と類似したものであるか、又は同じものであってもよい。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。
【００９９】
スクリーンショット１２００では、収益創出者Ａ（１１０Ａ）は、モバイル通信事業者「３」用のモバイルサイトを有していないと考えられる。収益創出者Ａ（１１０Ａ）は、モバイルサイトチェックボックス１１４２のチェックを外して、このモバイル通信事業者用のモバイルサイトを有していないことを特定することができる。モバイルサイトチェックボックス１１４２のチェックを外すことにより、図１１のモバイルサイトＵＲＬテキストボックス１１４６を、コールオファーテキストボックス１２４６へと動的に変更することができる。加えて、広告制作物管理テーブル１１４０にコールオファープレビューウィンドウ１２８０を追加することができる。収益創出者Ａ（１１０Ａ）は、コールオファーテキストボックス１２４６に「ＷＡＰ広告」のテキストを入力することができる。ユーザ１２０ＡＡ〜ＮＮが関係する広告上をクリックした時に、このテキストをユーザ１２０ＡＡ〜ＮＮに表示することができる。コールオファープレビューウィンドウ１２８０は、コールオファー、すなわち「ＷＡＰ広告」のプレビューを表示することができる。コールオファーはまた、図９のコールオファーロゴテキストボックス９６０で特定したロゴを含むことができる。
【０１００】
図１３は、図１及び図２のシステム、又はモバイル装置上に広告を行うための任意のその他のシステムにおける、収益創出者のインタフェースである収益創出者の編集状態図の実施構成を示すスクリーンショット１３００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。この編集状態画面により、収益創出者Ａ（１１０Ａ）はリストの編集状態を閲覧できるようになる。スクリーンショット１３００は、編集状態テーブル１３１０、広告活動ドロップダウンボックス１３２０、種類ドロップダウンボックス１３３０、進むボタン１３４０、口座ドロップダウンボックス８４０、及び収益創出者の識別子８５０を含むことができる。
【０１０１】
編集状態テーブル１３１０は、広告活動状態ドロップダウンボックス１３２０で特定された広告活動に関連するリストの編集状態を表示することができる。種類ドロップダウンボックス１３３０において、「すべて」、「却下」、「未完成」、又は「許可済み」などの、リストの状態の種類を選択することにより、このリストのデータをさらにフィルタリングすることができる。状態の種類は、編集状態テーブル１３１０内の状態フィールドを基準とすることができる。収益創出者Ａ（１１０Ａ）は、進むボタン１３４０をクリックすることにより、広告活動ドロップダウンボックス１３２０又は種類ドロップダウンボックス１３３０に対する変更を提出することができる。進むボタン１３４０をクリックすることにより、選択済みの広告活動及び種類によりフィルタリングされたデータで、編集状態テーブル１３１０を更新することができる。編集状態テーブル１３１０は、広告活動に関連する個々の検索用語に関する行を含むことができる。各行は、通信事業者、提出日、編集状態、状態の日付、完成予定日、及びリストの却下又は削除の理由などの、リストに関する情報を含むことができる。
【０１０２】
図１４は、図１及び図２のシステム、又はモバイル装置上に広告を行うための任意のその他のシステムにおける、収益創出者のインタフェースである収益創出者の予算編成図の実施構成を示すスクリーンショット１４００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。この予算編成図により、収益創出者Ａ（１１０Ａ）は、すべての通信事業者にわたって自らの口座の予算編成を制御できるようになる。スクリーンショット１４００は、予算編成テーブル１４１０、予算編成実行可能チェックボックス１４１２、口座予算額１４１４、クレジットカードドロップダウンボックス１４１６、補充額テキストボックス１４１８、続行ボタン１４２０、口座ドロップダウンボックス８４０、及び収益創出者の識別子８５０を含むことができる。
【０１０３】
収益創出者Ａ（１１０Ａ）は、予算編成実行可能チェックボックス１４１２をクリックして、日々の予算編成機能を有効にすることができる。この日々の予算編成により、収益創出者Ａ（１１０Ａ）は、すべてのＭＮＯ１１５Ａ〜Ｎにわたる各口座に支払われる額を予算編成することができる。収益創出者Ａ（１１０Ａ）は、口座予算額テキストボックス１４１４に、口座に対する予算額を入力することができる。収益創出者Ａ（１１０Ａ）は、クレジットカードドロップダウンボックス１４１６で、支払いに使用するクレジットカードを特定することができる。収益創出者Ａ（１１０Ａ）は、補充額テキストボックス１４１８で補充額を特定することができる。この補充額は、口座残高が減るたびに、収益創出者Ａ（１１０Ａ）のクレジットカードに請求できる金額を特定することができる。収益創出者Ａ（１１０Ａ）は、続行ボタン１４２０をクリックすることにより、これらの変更をサービスプロバイダサーバ２４０に提出することができる。
【０１０４】
図１５は、図１及び図２のシステム、又はモバイル装置上に広告を行うための任意のその他のシステムにおける、収益創出者のインタフェースである収益創出者の資金追加図の実施構成を示すスクリーンショット１５００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。この資金追加ビューにより、収益創出者Ａ（１１０Ａ）は、口座に資金を追加できるようになる。スクリーンショット１５００は、クレジットカードドロップダウンボックス１４１６、金額請求テキストボックス１５５０、続行ボタン１５６０、口座ドロップダウンボックス８４０、及び収益創出者の識別子８５０を含むことができる。
【０１０５】
収益創出者Ａ（１１０Ａ）は、金額テキストボックス１４１８に、口座に追加する金額を入力することができる。クレジットカードドロップダウンボックス１４１６から、課金先のクレジットカードを選択することができる。収益創出者Ａ（１１０Ａ）は、続行ボタン１５６０上をクリックすることにより、次の画面へと進み続けることができる。収益創出者Ａ（１１０Ａ）は、口座に追加された資金を用いて、その口座に関連する任意のＭＮＯ１１５Ａ〜Ｎにわたって入札を行うことができる。
【０１０６】
図１６は、図１及び図２のシステム、又はモバイル装置上に広告を行うための任意のその他のシステムにおける、収益創出者のインタフェースである収益創出者の資金追加確認図の実施構成を示すスクリーンショット１６００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。この資金追加確認ビューは、図１５で指定された収益創出者Ａ（１１０Ａ）の資金追加要求の概要を収益創出者Ａ（１１０Ａ）に示すことができる。収益創出者Ａ（１１０Ａ）は、図１５の続行ボタン１５６０をクリックすることにより、この資金追加確認スクリーンショット１６００に至ることができる。
【０１０７】
スクリーンショット１６００は、支払い概要図１６１０、口座ドロップダウンボックス８４０、及び収益創出者の識別子８５０を含むことができる。支払い概要図１６１０は、要求提出ボタン１６１２を含むことができる。収益創出者は、要求提出ボタン１６１２をクリックして、資金追加要求をサービスプロバイダサーバ２４０へ通信することができる。収益創出者Ａ（１１０Ａ）は、追加した資金を用いてＭＮＯ１１５Ａ〜Ｎすべてにわたる広告に支払いを行うことができる。サービスプロバイダ１３０は、独立したクロスネットワーク支払いメカニズムを利用して、ＭＮＯ１１５Ａ〜Ｎのすべてに対する支払いを滞りなく処理することができる。
【０１０８】
図１７は、図１及び図２のシステム、又はモバイル装置上に広告を行うための任意のその他のシステムにおける、収益創出者のインタフェースである収益創出者の支払い方法追加画面の実施構成を示すスクリーンショット１７００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。スクリーンショット１７００は、支払い方法追加テーブル１７１０、口座ドロップダウンボックス８４０、及び収益創出者の識別子８５０を含むことができる。この支払い方法追加画面により、収益創出者Ａ（１１０Ａ）は、口座ドロップダウンボックス８４０に特定される口座への支払い方法を追加できるようになる。
【０１０９】
支払い方法追加テーブル１７１０は、追加ボタン１７１２、及び支払い方法の追加に関するいくつかの入力先を含むことができる。収益創出者Ａ（１１０Ａ）は、支払い方法追加テーブル１７１０の支払い方法／請求フィールドに、新しい支払い方法に関する情報を書き込むことができる。収益創出者Ａ（１１０Ａ）は、追加ボタン１７１２をクリックして、支払い方法追加要求をサービスプロバイダサーバ２４０へ通信することができる。その後、収益創出者Ａ（１１０Ａ）は、追加した支払い方法を用いて、口座ドロップダウンボックス８４０に指定された口座を補充することができる。
【０１１０】
図１８は、図１及び図２のシステム、又はモバイル装置上に広告を行うための任意のその他のシステムにおける、収益創出者のインタフェースである収益創出者の支払い方法更新画面の実施構成を示すスクリーンショット１８００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。スクリーンショット１７００は、支払い方法更新テーブル１８１０、口座ドロップダウンボックス８４０、及び収益創出者の識別子８５０を含むことができる。支払い方法更新画面により、収益創出者Ａ（１１０Ａ）は、口座ドロップダウンボックス８４０に特定される口座の支払い方法を更新できるようになる。
【０１１１】
支払い方法更新テーブル１８１０は、更新ボタン１８１２、支払い方法ドロップダウンボックス１８１４、及び支払い方法に関するいくつかの入力先を含むことができる。収益創出者Ａ（１１０Ａ）は、支払い方法ドロップダウンボックス１８１４を用いることにより、更新する支払い方法を選択することができる。支払い方法ドロップダウンボックス１８１４は、口座ドロップダウンボックス８４０に特定された口座に関連する支払い方法を反映することができる。収益創出者Ａ（１１０Ａ）は、支払い方法更新テーブル１８１０の支払い方法／請求フィールドを、支払い方法に関する情報で修正することができる。収益創出者Ａ（１１０Ａ）は、更新ボタン１８１２をクリックして、支払い方法更新要求をサービスプロバイダサーバ２４０へ通信することができる。その後、収益創出者Ａ（１１０Ａ）は、この支払い方法を用いて、口座ドロップダウンボックス８４０に指定された口座を補充することができる。
【０１１２】
図１９は、図１及び図２のシステム、又はモバイル装置上に広告を行うための任意のその他のシステムにおける、収益創出者のインタフェースである収益創出者の報告図の実施構成を示すスクリーンショット１９００である。収益創出者Ａ（１１０Ａ）などの収益創出者１１０Ａ〜Ｎのうちの１つが、サービスプロバイダ１３０とやりとりを行う際に、収益創出者のインタフェースを収益創出者Ａ（１１０Ａ）に対して表示することができる。スクリーンショット１９００は、最近の報告テーブル１９１０、報告作成テーブル１９４０、口座ドロップダウンボックス８４０、及び収益創出者の識別子８５０を含むことができる。
【０１１３】
最近の報告テーブル１９１０は、報告名リンク１９１２及び報告削除ボックス１９１４を含むことができる。最近の報告テーブル１９１０は、最近作成された報告に関するいくつかのデータの行を表示することができる。これらのデータは、報告が作成された日付、その報告が関わる日付の範囲、報告の種類を含むことができる。収益創出者Ａ（１１０Ａ）は、報告名リンク１９１２をクリックして報告を閲覧することができる。収益創出者Ａ（１１０Ａ）は、報告削除ボックス１９１４をクリックして報告を削除することができる。
【０１１４】
報告作成テーブル１９４０は、報告の種類ドロップダウンボックス１９４２、開始日ドロップダウンボックス１９４４、終了日ドロップダウンボックス１９４６、及び報告取得ボタン１９４８を含むことができる。報告の種類ドロップダウンボックス１９４２により、収益創出者Ａ（１１０Ａ）は、口座取引明細報告、日々の口座概要報告、及び広告活動概要報告などの、作成する報告の種類を選択できるようになる。開始日ドロップダウンボックス１９４４により、収益創出者Ａ（１１０Ａ）は報告の開始日を選択できるようになる。終了日ドロップダウンボックス１９４６により、収益創出者Ａ（１１０Ａ）は報告についての終了日を指定できるようになる。収益創出者Ａ（１１０Ａ）は、報告取得ボタン１９４８をクリックして、新規報告作成要求をサービスプロバイダ２４０へ通信することができる。
【０１１５】
この報告スクリーンショット１９００により、収益創出者Ａ（１１０Ａ）は、ＭＮＯ１１５Ａ〜Ｎすべてにわたってリストをモニタできるようになる。収益創出者Ａ（１１０Ａ）は、ＭＮＯ１１５Ａ〜Ｎすべてにわたるリストの効果を表示した報告を作成することができる。収益創出者Ａ（１１０Ａ）はまた、ＭＮＯ１１５Ａ〜Ｎの各々に関するリストの効果をモニタし、比較することもできる。
【０１１６】
本明細書で説明する方法は、コンピュータシステムにより実行可能なソフトウェアプログラムによって実行することができる。さらに実施構成は、分散処理、構成要素／オブジェクト分散処理、及び並行処理を含むことができる。或いは、又はこれに加えて、仮想コンピュータシステム処理を構築して、本明細書で説明する方法又は機能のうちの１又はそれ以上を実行することができる。
【０１１７】
特定の実施形態で実行できる構成要素及び機能について、特定の規格及びプロトコルを参照しながら説明したが、これらの構成要素及び機能は、このような規格及びプロトコルに限定されるものではない。例えば、インターネット及び（ＴＣＰ／ＩＰ、ＵＤＰ／ＩＰ、ＨＴＭＬ、ＨＴＴＰなどの）その他のパケット交換ネットワーク送信における規格は、最先端技術の例を表すものである。このような規格は、本質的に同じ機能を有する、より高速な又はより効果的な均等物により定期的に取って代わられるものである。従って、本明細書に開示した機能と同じ機能又は類似の機能を有する後継規格及びプロトコルは、本明細書に開示した規格及びプロトコルの均等物であると考えられる。
【０１１８】
本明細書に記載の例図は、様々な実施形態の構造について一般的な理解をもたらすことを意図されたものである。これらの例図は、本明細書に記載の構造又は方法を利用する装置、プロセッサ、及びシステムの要素及び特徴すべてを完全に描写した物として提供することを意図されたものではない。本開示を見直す時、当業者には多くの他の実施形態が明らかとなるであろう。本開示から別の実施形態を利用し、導き出すことにより、本開示の範囲から逸脱することなく、構造的、論理的な代替及び変更を行うことができる。さらに、例図は単に表現的なものであり、縮尺通りに描いていない場合がある。例図内の特定の寸法比率は誇張されている場合があり、一方、他の寸法比率は最小限に抑えられている場合がある。従って、本開示及び図は、本発明を限定するものではなく、むしろ例示的なものであると考えるべきである。
【０１１９】
本明細書において特定の実施形態を示し、説明してきたが、同じ目的又は類似の目的を達成するように設計された任意の後続する構成を、図示の特定の実施形態と置き換えることができることを理解されたい。本開示は、様々な実施形態の任意の及びすべての後続する適応又は変更を包含することが意図されている。説明を見直す時、当業者には、上記実施形態と、本明細書に特に記載していないその他の実施形態との組み合わせが明らかとなるであろう。
【０１２０】
要約には、この要約を用いて特許請求の範囲又は意味を解釈又は限定するものではないという理解が含まれている。さらに、前述した詳細な説明において、本開示を簡素化する目的で、様々な特徴を集約するか、或いは単一の実施形態で説明している場合がある。本開示は、主張する実施形態には各請求項に明記される特徴よりも多くの特徴が必要であるという意図を反映したものではないと解釈すべきである。むしろ、以下の特許請求の範囲に反映されるように、発明の主題は、開示する実施形態のいずれの特徴すべてよりも少ない特徴を対象とすることができる。従って、以下の特許請求の範囲は上記詳細な説明の中に組み入れられており、各請求項は、別個に主張する主題を定めたものとしてそれ自体が独立したものとなる。
【０１２１】
上記開示した主題は、例示的なものであって、本発明を限定するものではないと考えるべきであり、添付の特許請求の範囲は、上記説明の真の思想及び範囲に含まれるすべてのこのような修正、強化、及び他の実施形態を包含することが意図されている。従って、上記の範囲は、法律が許容する最大限の範囲で、以下の特許請求の範囲及びそれらの均等物の最も広く許容される解釈により決定されるべきであり、前述の詳細な説明によって制限又は限定されるべきではない。
【図面の簡単な説明】
【０１２２】
【図１】モバイル装置上に広告を行うためのシステムの一般的な概要を示すブロック図である。
【図２】モバイル装置上に広告を行うためのシステムを実現するネットワーク環境の略図を示すブロック図である。
【図３】モバイル装置上に広告を行うためのシステムにおいて、ウェブトラフィックからモバイルトラフィックを分離するためのシステムを示すブロック図である。
【図４】図１及び図２のシステム、又はモバイル装置上に広告を行うためのその他のシステムの動作を示すフロー図である。
【図５】図１及び図２のシステム、又はモバイル装置上に広告を行うためのその他のシステムにおいて、収益創出者がとることができるステップを示すフロー図である。
【図６】図１及び図２のシステム、又はモバイル装置上に広告を行うためのその他のシステムにおいて、ユーザがとることができるステップを示すフロー図である。
【図７】オンライン行動におけるオフライン広告の効果を測定するためのシステムにおいて用いることができる一般的なコンピュータシステムを示す例図である。
【図８】図１及び図２のシステム、又はモバイル装置上に広告を行うその他のシステムにおける、収益創出者の口座概要画面のスクリーンショットである。
【図９】図１及び図２のシステム、又はモバイル装置上に広告を行うその他のシステムにおける、収益創出者の口座設定画面のスクリーンショットである。
【図１０】図１及び図２のシステム、又はモバイル装置上に広告を行うその他のシステムにおける、収益創出者の広告活動概要画面のスクリーンショットである。
【図１１】図１及び図２のシステム、又はモバイル装置上に広告を行うその他のシステムにおける、収益創出者のリスト管理画面のスクリーンショットである。
【図１２】図１及び図２のシステム、又はモバイル装置上に広告を行うその他のシステムにおいて、コールオファーの入力を示す、収益創出者のリスト管理画面のスクリーンショットである。
【図１３】図１及び図２のシステム、又はモバイル装置上に広告を行うその他のシステムにおいて、モバイルサイトＵＲＬの入力を示す、収益創出者のリスト管理画面のスクリーンショットである。
【図１４】図１及び図２のシステム、又はモバイル装置上に広告を行うその他のシステムにおける、収益創出者のリスト編集状態のスクリーンショットである。
【図１５】図１及び図２のシステム、又はモバイル装置上に広告を行うその他のシステムにおける、収益創出者の予算編成画面のスクリーンショットである。
【図１６】図１及び図２のシステム、又はモバイル装置上に広告を行うその他のシステムにおける、収益創出者の資金追加画面のスクリーンショットである。
【図１７】図１及び図２のシステム、又はモバイル装置上に広告を行うその他のシステムにおける、収益創出者の資金追加確認画面のスクリーンショットである。
【図１８】図１及び図２のシステム、又はモバイル装置上に広告を行うその他のシステムにおける、収益創出者の支払い方法追加のスクリーンショットである。
【図１９】図１及び図２のシステム、又はモバイル装置上に広告を行うその他のシステムにおける、収益創出者の支払い方法更新のスクリーンショットである。
【図１】
2009529728.tif 000003
【図２】
2009529728.tif 000004
【図３】
2009529728.tif 000005
【図４】
2009529728.tif 000006
【図５】
2009529728.tif 000007
【図６】
2009529728.tif 000008
【図７】
2009529728.tif 000009
【図８】
2009529728.tif 000010
【図９】
2009529728.tif 000011
【図１０】
2009529728.tif 000012
【図１１】
2009529728.tif 000013
【図１２】
2009529728.tif 000014
【図１３】
2009529728.tif 000015
【図１４】
2009529728.tif 000016
【図１５】
2009529728.tif 000017
【図１６】
2009529728.tif 000018
【図１７】
2009529728.tif 000019
【図１８】
2009529728.tif 000020
【図１９】
2009529728.tif 000021
【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
モバイル装置上に広告を行うための方法であって、
モバイル装置からの要求を識別するステップと、
前記モバイル装置が属するモバイル通信事業者を特定するステップと、
前記要求及び前記モバイル通信事業者を対象とした広告を識別するステップと、
前記広告を前記モバイル装置に提供するステップと、
を含むことを特徴とする方法。
【請求項２】
前記要求はキーワードを検索するための要求である、
ことを特徴とする請求項１に記載の方法。
【請求項３】
前記広告は前記キーワードを対象とする、
ことを特徴とする請求項２に記載の方法。
【請求項４】
前記要求及び前記モバイル通信事業者を対象とする広告を識別するステップは、
前記モバイル通信事業者がサポートする表示技術を識別するステップと、
前記広告を、前記モバイル通信事業者の前記表示技術に適合させるステップと、
をさらに含む、
ことを特徴とする請求項１に記載の方法。
【請求項５】
前記広告は動的に適合される、
ことを特徴とする請求項４に記載の方法。
【請求項６】
前記表示技術は、ＷＭＬ、ＸＨＴＭＬ、ｉＭｏｄｅ  ＨＴＭＬ、又はｃＨＴＭＬのうちの少なくとも１つを含む、
ことを特徴とする請求項４に記載の方法。
【請求項７】
前記モバイル装置はモバイル電話を含む、
ことを特徴とする請求項１に記載の方法。
【請求項８】
広告をモバイル通信事業者に対象設定するための方法であって、
キーワードを識別するステップと、
モバイル通信事業者を識別するステップと、
広告を識別するステップと、
前記広告を、前記モバイル通信事業者及び前記キーワードに対象設定するステップと、  ユーザが前記モバイル装置を用いて前記キーワードを検索する時に、前記モバイル通信事業者に属するモバイル装置に前記広告を提供するステップと、
を含むことを特徴とする方法。
【請求項９】
前記広告を、前記モバイル通信事業者及び前記キーワードに対象設定するステップは、  前記モバイル通信事業者の表示技術を識別するステップと、
前記モバイル通信事業者の前記表示技術に前記広告を適合させるステップと、
をさらに含む、
ことを特徴とする請求項８に記載の方法。
【請求項１０】
前記広告は、前記ユーザが前記キーワードを含むリンクをクリックする時に前記モバイル装置に提供される、
ことを特徴とする請求項８に記載の方法。
【請求項１１】
前記広告は、前記キーワードに対応する検索結果の組と共に前記モバイル装置に提供される、
ことを特徴とする請求項８に記載の方法。
【請求項１２】
前記モバイル装置はモバイル電話を含む、
ことを特徴とする請求項８に記載の方法。
【請求項１３】
前記広告を前記モバイル通信事業者及び前記キーワードに対象設定するステップは、前記広告に関連して入札額を前記キーワード及びモバイル通信事業者に関連付けるステップをさらに含む、
ことを特徴とする請求項８に記載の方法。
【請求項１４】
前記入札額は、前記広告が前記モバイル装置上に表示された時に、前記広告の所有者が支払う金額を含む、
ことを特徴とする請求項８に記載の方法。
【請求項１５】
モバイル装置上に広告を行うためのシステムであって、
要求と、モバイル通信事業者データと、広告データとを記憶するメモリと、
モバイル装置と通信を行うために、前記メモリに作動可能に接続されたインタフェースと、
前記メモリ及び前記インタフェースに作動可能に接続された、命令を実行するためのプロセッサと、
を備え、
前記プロセッサは、前記インタフェースを介して前記モバイル装置から要求を受信し、該モバイル装置が属するモバイル通信事業者に関する前記モバイル通信事業者データを特定し、前記要求及び前記モバイル通信事業者データを対象とする前記広告データを識別し、前記インタフェースを介して前記広告データを前記モバイル装置へ通信する、
ことを特徴とするシステム。
【国際調査報告】
2009529728.tif 000022
2009529728.tif 000023